(57)【特許請求の範囲】
【請求項１】
それぞれ複数の図柄が外周面に付された複数のリールと、
予め定められた図柄組合せが停止表示されることで、遊技者に特典を付与することとなる有効ラインを規定する有効ライン規定手段と、
前記複数のリールの前面に配設され、前記複数の図柄の一部を視認可能に表示する表示窓を有する図柄表示手段と、
遊技媒体の投入操作を検出する投入操作検出手段と、
遊技の開始操作を検出する開始操作検出手段と、
前記投入操作検出手段による遊技媒体の投入操作の検出と、前記開始操作検出手段による開始操作の検出とに基づいて、少なくとも遊技者にとって有利な第１特別遊技状態又は第２特別遊技状態への移行を可能にする特別遊技役であって同時に決定される第１特別遊技役及び第２特別遊技役と、次回の遊技において遊技媒体を投入することなく再遊技の実行を可能にする再遊技役と、第１特殊役及び第２特殊役と、予め定められた遊技媒体の払出を行う小役と、のうちから１又は複数の役を内部当籤役として決定する内部当籤役決定手段と、
前記第１特別遊技役又は前記第２特別遊技役が、前記内部当籤役決定手段によって内部当籤役として決定された後、当該第１特別遊技役又は第２特別遊技役に対応する図柄組合せが、前記図柄表示手段に停止表示されるまでの間、前記第１特別遊技役又は第２特別遊技役を持ち越すことを可能とする内部当籤役持越手段と、
前記投入操作検出手段による遊技媒体の投入操作の検出と、前記開始操作検出手段による開始操作の検出とに基づいて、前記複数のリールを回転させて前記図柄の変動表示を行う複数の図柄変動手段と、
前記複数の図柄変動手段毎に図柄の変動表示を停止させるための操作を検出する、複数の図柄停止操作手段と、
前記図柄停止操作手段により停止操作を検出した際に前記有効ライン上に存在する図柄位置と、前記内部当籤役決定手段により決定された内部当籤役とに基づいて、前記図柄変動手段の図柄の変動表示を停止させる停止制御手段と、
前記内部当籤役決定手段が決定する小役に係る図柄組合せが、前記有効ライン上に停止表示されることを条件に、当該小役に対応した数の遊技媒体数を払出す遊技媒体払出手段と、
前記第１特別遊技状態に係る図柄組合せが停止表示されたことを条件に、前記遊技媒体の払出が第１純増数量ＪＶ１となるように、予め定められた第１の払出数量を超えるまで当該第１特別遊技状態を継続し、又は、前記第２特別遊技状態に係る図柄組合せが停止表示されたことを条件に、前記遊技媒体の払出が第２純増数量ＪＶ２となるように、予め定められた第２の払出数量を超えるまで当該第２特別遊技状態を継続する特別遊技作動手段と、
前記第１特別遊技状態の終了後に作動し、単位遊技における遊技媒体の平均純増数量が第１純増数量ＪＲ１となる第１高確率再遊技状態、又は、前記第２特別遊技状態の終了後に作動し、単位遊技における遊技媒体の平均純増数量が第２純増数量ＪＲ２となる第２高確率再遊技状態を作動させる高確率再遊技作動手段と、
前記内部当籤役決定手段によって前記第１特殊役又は前記第２特殊役が決定され、前記第１特殊役又は前記第２特殊役に係る図柄組合せが前記有効ライン上に停止表示されたことを条件に、前記第１高確率再遊技状態又は前記第２高確率再遊技状態を終了させる高確率再遊技終了手段と、
遊技者に有利となる特典がない遊技状態である一般遊技状態において内部当籤役として決定され、前記有効ライン上に停止表示された表示役が、前記第１特別遊技状態、又は前記第２特別遊技状態のどの状態に対応する特別遊技役であるかを表す初回特別遊技種類を、前記内部当籤役持越手段が前記第１特別遊技役又は前記第２特別遊技役のいずれも持ち越しておらず、且つ前記第１高確率再遊技状態又は前記第２高確率再遊技状態が終了するまで記憶する初回特別遊技種類記憶手段と、
前記第１高確率再遊技状態又は前記第２高確率再遊技状態において、前記第１特殊役又は前記第２特殊役の何れかが前記内部当籤役決定手段により決定された場合に、当該決定された特殊役が停止表示されることを阻止するための情報を、前記第１高確率再遊技状態又は前記第２高確率再遊技状態の種別に応じた所定の報知回数、遊技者に報知する特殊役報知手段と、
前記初回特別遊技種類として前記第１特別遊技状態が記憶されている前記第１高確率再遊技状態において、内部当籤役として前記第１特別遊技役及び前記第２特別遊技役が決定されたとき、前記第１特別遊技役に係る図柄組合せを報知すると共に、
前記初回特別遊技種類として前記第２特別遊技状態が記憶されている前記第２高確率再遊技状態において、内部当籤役として前記第１特別遊技役及び前記第２特別遊技役が決定されたとき、前記第２特別遊技役に係る図柄組合せを報知する特別遊技報知手段と、
を備え、
前記特殊役報知手段は、前記一般遊技状態において内部当籤役として決定され前記有効ライン上に停止表示された表示役が前記第１特別遊技状態である場合には、前記報知回数として第１初回報知回数ＨＰ１を設定し、前記一般遊技状態において内部当籤役として決定され前記有効ライン上に停止表示された表示役が前記第２特別遊技状態である場合には、前記報知回数として第２初回報知回数ＨＰ２を設定し、前記初回特別遊技種類として前記第１特別遊技状態が記憶されている前記第１高確率再遊技状態において内部当籤役として決定され、前記有効ライン上に停止表示された表示役が前記第１特別遊技状態である場合には、前記報知回数として第１報知回数Ｈ１を設定し、前記初回特別遊技種類として前記第２特別遊技状態が記憶されている前記第２高確率再遊技状態において内部当籤役として決定され、前記有効ライン上に停止表示された表示役が前記第２特別遊技状態である場合には、前記報知回数として第２報知回数Ｈ２を設定し、
前記第１特別遊技状態とそれに続く第１高確率再遊技状態とにおける遊技媒体の期待値と、前記第２特別遊技状態とそれに続く第２高確率再遊技状態とにおける遊技媒体の期待値とが略等しくなるように、前記第１純増数量ＪＶ１、第２純増数量ＪＶ２、第１初回報知回数ＨＰ１、第２初回報知回数ＨＰ２、第１報知回数Ｈ１、第２報知回数Ｈ２、第１純増数量ＪＲ１、及び第２純増数量ＪＲ２の値を設定したことを特徴とする遊技機。
【請求項２】
前記第１初回報知回数ＨＰ１、第２初回報知回数ＨＰ２、第１報知回数Ｈ１、及び第２報知回数Ｈ２の報知回数は、第１初回報知回数ＨＰ１＜第１報知回数Ｈ１、且つ、第２初回報知回数ＨＰ２＞第２報知回数Ｈ２、の関係を満たすことを特徴とする請求項１に記載の遊技機。
【発明の詳細な説明】
【技術分野】
【０００１】
本発明は、複数の図柄が外周面に付された複数のリールを回転させて図柄の変動表示を行い、その後に停止ボタンを押下操作することによりリールを停止させて図柄の停止表示を行う遊技機に関する。
【背景技術】
【０００２】
従来、遊技者が遊技媒体を投入して遊技の開始操作を行うことにより、周面に図柄が付された複数のリールが回転して図柄の変動表示を開始し、遊技者が各リールの停止操作を行うことにより、図柄の停止表示を行って単位遊技が終了し、表示窓の所定の位置に停止表示された図柄組合せに基づいて入賞か否かを判別して、入賞と判別された場合に遊技媒体の払出が行われる回胴式遊技機が知られている。
【０００３】
回胴式遊技機においては、一般に複数の遊技状態が準備されており、所定の条件が成立したことを契機に、それぞれの遊技状態に遷移するように構成されている。例えば、基本の遊技状態となる「一般遊技状態」と、遊技者にとって有利となる所謂レギュラーボーナス遊技状態（以降、「ＲＢ遊技状態」と記載する。）と、「ＲＢ遊技状態」が繰り返し作動、又は「ＲＢ遊技状態」を高確率で作動させることができる「特別遊技状態」（所謂「ビッグボーナス遊技状態」と称されるものであり、以下においては「ＢＢ遊技状態」とも呼ばれている。）と、遊技者が投入するメダルの消費を抑えた再遊技を高確率で継続することが可能な「高確率再遊技状態」とが設定されているものがある。
【０００４】
この中で、"ＢＢ１"及び"ＢＢ２"の２種類の「特別遊技状態」を有し、「赤チェリー」の小役及び"ＢＢ１"に移行させることが可能な内部当籤役が同時に内部当籤し得るように構成された一般遊技状態用内部抽籤テーブルＡと、「青チェリー」の小役及び"ＢＢ２"に移行させることが可能な内部当籤役が同時に内部当籤し得るように構成された一般遊技状態用内部抽籤テーブルＢと、前記２種類のテーブルを選択するための選択操作を検出する選択操作検出手段を備えた回胴式遊技機が、特許文献１（特開２００７−２８９４１２号公報）に記載されている。
【０００５】
特許文献１に記載されている回胴式遊技機によれば、遊技者の選択操作により、「特別遊技状態」へ移行させることが可能な役に内部当籤したかもしれないという期待が持てる役を、「赤チェリー」の小役又は「青チェリー」の小役の何れかから選択することができる。したがって、"ＢＢ１"及び"ＢＢ２"に移行させることが可能な内部当籤を察知する際のパターンにバリエーションを持たせ、当籤役に対する興味を高め、遊技に対する興趣を向上させることができるとしている。
【先行技術文献】
【特許文献】
【０００６】
【特許文献１】特開２００７−２８９４１２号公報
【発明の開示】
【発明が解決しようとする課題】
【０００７】
しかしながら、特許文献１に記載されている回胴式遊技機では、複数種類の「特別遊技状態」のうち内部抽籤により決定されるのは"ＢＢ１"又は"ＢＢ２"に移行させることが可能な内部当籤役のうちの何れか一方のみである。この２つの"ＢＢ１"又は"ＢＢ２"の遊技状態のどちらが決定されるかは、遊技者が直接介入することができない内部抽籤処理の結果によるものである。そのため、結局回胴式遊技機が定めた遊技パターンに沿って遊技を行うことには変わりなく、遊技者は、更なる興趣をもって遊技に臨むことができなかった。
【０００８】
本発明は、上記問題点に鑑みてなされたものであり、遊技者にとって有利となる態様の異なる複数種類の「特別遊技状態」の中から、遊技者が自ら所望する態様の「特別遊技状態」を選択することが可能な遊技機を提供することを目的としている。
【課題を解決するための手段】
【０００９】
上記課題を解決するために本発明は、それぞれ複数の図柄が外周面に付された複数のリールと、予め定められた図柄組合せが停止表示されることで、遊技者に特典を付与することとなる有効ラインを規定する有効ライン規定手段と、前記複数のリールの前面に配設され、前記複数の図柄の一部を視認可能に表示する表示窓を有する図柄表示手段と、遊技媒体の投入操作を検出する投入操作検出手段と、遊技の開始操作を検出する開始操作検出手段と、
前記投入操作検出手段による遊技媒体の投入操作の検出と、前記開始操作検出手段による開始操作の検出とに基づいて、少なくとも遊技者にとって有利な第１特別遊技状態又は第２特別遊技状態への移行を可能にする特別遊技役であって同時に決定される第１特別遊技役及び第２特別遊技役と、次回の遊技において遊技媒体を投入することなく再遊技の実行を可能にする再遊技役と、第１特殊役及び第２特殊役と、予め定められた遊技媒体の払出を行う小役と、のうちから１又は複数の役を内部当籤役として決定する内部当籤役決定手段と、
前記第１特別遊技役又は前記第２特別遊技役が、前記内部当籤役決定手段によって内部当籤役として決定された後、当該第１特別遊技役又は第２特別遊技役に対応する図柄組合せが、前記図柄表示手段に停止表示されるまでの間、前記第１特別遊技役又は第２特別遊技役を持ち越すことを可能とする内部当籤役持越手段と、
前記投入操作検出手段による遊技媒体の投入操作の検出と、前記開始操作検出手段による開始操作の検出とに基づいて、前記複数のリールを回転させて前記図柄の変動表示を行う複数の図柄変動手段と、前記複数の図柄変動手段毎に図柄の変動表示を停止させるための操作を検出する、複数の図柄停止操作手段と、
前記図柄停止操作手段により停止操作を検出した際に前記有効ライン上に存在する図柄位置と、前記内部当籤役決定手段により決定された内部当籤役とに基づいて、前記図柄変動手段の図柄の変動表示を停止させる停止制御手段と、
前記内部当籤役決定手段が決定する小役に係る図柄組合せが、前記有効ライン上に停止表示されることを条件に、当該小役に対応した数の遊技媒体数を払出す遊技媒体払出手段と、
前記第１特別遊技状態に係る図柄組合せが停止表示されたことを条件に、前記遊技媒体の払出が第１純増数量ＪＶ１となるように、予め定められた第１の払出数量を超えるまで当該第１特別遊技状態を継続し、又は、前記第２特別遊技状態に係る図柄組合せが停止表示されたことを条件に、前記遊技媒体の払出が第２純増数量ＪＶ２となるように、予め定められた第２の払出数量を超えるまで当該第２特別遊技状態を継続する特別遊技作動手段と、
前記第１特別遊技状態の終了後に作動し、単位遊技における遊技媒体の平均純増数量が第１純増数量ＪＲ１となる第１高確率再遊技状態、又は、前記第２特別遊技状態の終了後に作動し、単位遊技における遊技媒体の平均純増数量が第２純増数量ＪＲ２となる第２高確率再遊技状態を作動させる高確率再遊技作動手段と、
前記内部当籤役決定手段によって前記第１特殊役又は前記第２特殊役が決定され、前記第１特殊役又は前記第２特殊役に係る図柄組合せが前記有効ライン上に停止表示されたことを条件に、前記第１高確率再遊技状態又は前記第２高確率再遊技状態を終了させる高確率再遊技終了手段と、
遊技者に有利となる特典がない遊技状態である一般遊技状態において内部当籤役として決定され、前記有効ライン上に停止表示された表示役が、前記第１特別遊技状態、又は前記第２特別遊技状態のどの状態に対応する特別遊技役であるかを表す初回特別遊技種類を、前記内部当籤役持越手段が前記第１特別遊技役又は前記第２特別遊技役のいずれも持ち越しておらず、且つ前記第１高確率再遊技状態又は前記第２高確率再遊技状態が終了するまで記憶する初回特別遊技種類記憶手段と、
前記第１高確率再遊技状態又は前記第２高確率再遊技状態において、前記第１特殊役又は前記第２特殊役の何れかが前記内部当籤役決定手段により決定された場合に、当該決定された特殊役が停止表示されることを阻止するための情報を、前記第１高確率再遊技状態又は前記第２高確率再遊技状態の種別に応じた所定の報知回数、遊技者に報知する特殊役報知手段と、
前記初回特別遊技種類として前記第１特別遊技状態が記憶されている前記第１高確率再遊技状態において、内部当籤役として前記第１特別遊技役及び前記第２特別遊技役が決定されたとき、前記第１特別遊技役に係る図柄組合せを報知すると共に、
前記初回特別遊技種類として前記第２特別遊技状態が記憶されている前記第２高確率再遊技状態において、内部当籤役として前記第１特別遊技役及び前記第２特別遊技役が決定されたとき、前記第２特別遊技役に係る図柄組合せを報知する特別遊技報知手段と、を備え、
前記特殊役報知手段は、前記一般遊技状態において内部当籤役として決定され前記有効ライン上に停止表示された表示役が前記第１特別遊技状態である場合には、前記報知回数として第１初回報知回数ＨＰ１を設定し、前記一般遊技状態において内部当籤役として決定され前記有効ライン上に停止表示された表示役が前記第２特別遊技状態である場合には、前記報知回数として第２初回報知回数ＨＰ２を設定し、前記初回特別遊技種類として前記第１特別遊技状態が記憶されている前記第１高確率再遊技状態において内部当籤役として決定され、前記有効ライン上に停止表示された表示役が前記第１特別遊技状態である場合には、前記報知回数として第１報知回数Ｈ１を設定し、前記初回特別遊技種類として前記第２特別遊技状態が記憶されている前記第２高確率再遊技状態において内部当籤役として決定され、前記有効ライン上に停止表示された表示役が前記第２特別遊技状態である場合には、前記報知回数として第２報知回数Ｈ２を設定し、
前記第１特別遊技状態とそれに続く第１高確率再遊技状態とにおける遊技媒体の期待値と、前記第２特別遊技状態とそれに続く第２高確率再遊技状態とにおける遊技媒体の期待値とが略等しくなるように、前記第１純増数量ＪＶ１、第２純増数量ＪＶ２、第１初回報知回数ＨＰ１、第２初回報知回数ＨＰ２、第１報知回数Ｈ１、第２報知回数Ｈ２、第１純増数量ＪＲ１、及び第２純増数量ＪＲ２の値を設定したことを特徴とする。
【００１０】
本発明によれば、遊技機において特別遊技役が内部当籤した場合に、遊技者が第１特別遊技状態に係る図柄組合せを停止表示させることによって、当該第１特別遊技状態終了後に、単位遊技が最大ＮＰＳ１回継続させることが可能な初回の第１高確率再遊技状態を作動させることができる。更に、この初回の第１高確率再遊技状態において特別遊技役が再度内部当籤し、再度遊技者が第１特別遊技状態を選択することによって、単位遊技が最大ＮＳ１（例えば、ＮＰＳ１≠ＮＳ１）回継続させることが可能な第２回目以降の第１高確率再遊技状態を作動させることができる。
【００１１】
他方、遊技者が第２特別遊技状態に係る図柄組合せを停止表示させることによって、当該第２特別遊技状態終了後に、単位遊技が最大ＮＰＳ２回継続させることが可能な初回の第２高確率再遊技状態を作動させることができる。更に、この初回の第２高確率再遊技状態において再度特別遊技役が内部当籤し、再度遊技者が第２特別遊技状態を選択することによって、単位遊技が最大ＮＳ２（例えば、ＮＰＳ２≠ＮＳ２）回継続させることが可能な第２回目以降の第２高確率再遊技状態を作動させることができる。
【００１２】
遊技者が最初に第１特別遊技状態、又は第２特別遊技状態の何れの特別遊技状態を選択した場合であっても、遊技媒体の期待値は略等しくなるように構成されている。更に、この第１特別遊技状態と第２特別遊技状態との選択や、遊技媒体の期待値が略等しくなるようにする処理を、演出の処理において実現することができるので、遊技機の制御を行う主制御回路の処理能力や、各種情報の記憶容量に制限がある場合であっても、多彩な遊技を提供することができる。
【００１３】
また、他の発明によれば、前記第１初回報知回数ＨＰ１、第２初回報知回数ＨＰ２、第１報知回数Ｈ１、及び第２報知回数Ｈ２の報知回数は、第１初回報知回数ＨＰ１＜第１報知回数Ｈ１、且つ、第２初回報知回数ＨＰ２＞第２報知回数Ｈ２、の関係を満たすことを特徴とする。
【００１４】
本発明によれば、遊技者は、短時間にて多くの遊技媒体を取得することを希望する場合と、長時間かけて多くの遊技媒体を取得することを希望する場合とに応じて、自由に特別遊技状態を選択することが可能となる。
【発明の効果】
【００１５】
本発明によれば、遊技者にとって有利となる態様の異なる複数種類の特別遊技状態の中から、遊技者が自ら所望する態様の特別遊技状態を選択することが可能な遊技機を提供することができる。
【図面の簡単な説明】
【００１６】
【図１】本発明の実施の形態の一実施例である回胴式遊技機の外観を示す斜視図である。
【図２】回胴式遊技機のパネル表示部を拡大した正面図である。
【図３】左リール、中リール、及び右リールにそれぞれ描かれた図柄列の配置テーブルを示す図である。
【図４】図３に示した図柄配列テーブルを実際の図柄列として表した図である。
【図５】主制御回路を含む電気回路の構成を示すブロック図である。
【図６】副制御回路の構成を示すブロック図である。
【図７】内部抽籤テーブル決定テーブル例を表す図表である。
【図８】一般遊技状態用内部抽籤テーブル例を表す図表である。
【図９】ＲＢ遊技状態用内部抽籤テーブル例を表す図表である。
【図１０】ＲＴ遊技状態用内部抽籤テーブル例を表す図表である。
【図１１】ボーナス作動時テーブルの内容を表す図表である。
【図１２】作動中フラグ格納領域に格納する内容とそのデータを表す図表である。
【図１３】持越役格納領域に格納する内容とそのデータを表す図表である。
【図１４】小役・リプレイ用内部当籤役決定テーブルを表す図表である。
【図１５】ボーナス用内部当籤役決定テーブルを表す図表である。
【図１６】図柄組合せテーブルを表す図表である。
【図１７】内部当籤役１格納領域に記憶する内容とそのデータを表す図表である。
【図１８】内部当籤役２格納領域に記憶する内容とそのデータを表す図表である。
【図１９】主制御回路が実行する電源投入処理のフローチャートである。
【図２０】主制御回路が実行するボーナス作動監視処理のフローチャートである。
【図２１】主制御回路が実行するメダル受付・スタートチェック処理のフローチャートである。
【図２２】主制御回路が実行する内部抽籤処理のフローチャートである。
【図２３】主制御回路が実行する内部抽籤テーブル変更処理のフローチャートである。
【図２４】主制御回路が実行するリール停止制御処理のフローチャートである。
【図２５】内部当籤役と持越役とに応じて異なる停止テーブル群を選択する際に参照する停止テーブル群決定テーブルの図表である。
【図２６】主制御回路が実行する表示役等決定時処理のフローチャートである。
【図２７】主制御回路が実行するボーナス終了チェック処理のフローチャートである。
【図２８】主制御回路が実行するＲＴゲーム数カウンタ更新処理のフローチャートである。
【図２９】主制御回路が実行するボーナス作動チェック処理のフローチャートである。
【図３０】主制御回路が実行する割込処理のフローチャートである。
【図３１】副制御回路が実行する割込処理のフローチャートである。
【図３２】副制御回路が実行するコマンド入力処理のフローチャートである。
【図３３】副制御回路が実行する演出内容決定処理のフローチャートである。
【図３４】副制御回路が実行する演出抽籤処理のフローチャートである。
【図３５】副制御回路が実行するＲＴ遊技状態用演出テーブル選択処理のフローチャートである。
【図３６】副制御回路が実行する一般遊技状態用演出テーブル選択処理のフローチャートである。
【図３７】副制御回路が実行する表示役コマンド受信時処理のフローチャートである。
【図３８】副制御回路が実行するＢＢ表示時処理のフローチャートである。
【図３９】初回赤ＢＢフラグ又は初回青ＢＢフラグがオフであり、"ＢＢ"が内部当籤した場合に、液晶表示装置に表示される演出表示例を示す図である。
【図４０】初回赤ＢＢフラグがオンであって「高確率再遊技状態」において再度"ＢＢ"が内部当籤した場合に、液晶表示装置に表示される演出表示例を示す図である。
【図４１】初回青ＢＢフラグがオンであって「高確率再遊技状態」において再度"ＢＢ"が内部当籤した場合に、液晶表示装置に表示される演出表示例を示す図である。
【図４２】「高確率再遊技状態」においてナビポイントが残っている状態で"赤特殊"が内部当籤した場合に、液晶表示装置に表示される演出表示例を示す図である。
【図４３】「高確率再遊技状態」においてナビポイントが残っている状態で"青特殊"が内部当籤した場合に、液晶表示装置に表示される演出表示例を示す図である。
【図４４】第２回目以降の「高確率再遊技状態」において、再度「特別遊技状態」が内部当籤する確率Ｒｍと「高確率再遊技状態」が継続するであろう単位遊技数ＮＳｍと、ナビポイントの回数等との関係を表した図表である。
【図４５】遊技者が最初に第１特別遊技状態を選択した場合と、第２特別遊技状態とにおける遊技媒体の期待値の算出結果を表した図表である。
【発明を実施するための形態】
【００１７】
以下、本発明の好適な実施の形態について、添付図面に基づき具体的に説明する。先ず、本発明に係る遊技機の実施形態の一例として、回胴式遊技機について説明する。
【００１８】
図１は、本発明の実施例である回胴式遊技機１の外観例を示す斜視図であり、図２は、同回胴式遊技機１のパネル表示部２ａを拡大して示す正面図である。
【００１９】
回胴式遊技機１は、コイン、メダル、遊技球トークンなどの他、遊技者に付与された遊技価値、もしくは付与される遊技価値の情報を記憶したカードなどを用いて遊技する遊技機である。本実施例では、メダルを用いた場合を例にして説明を行う。
【００２０】
回胴式遊技機１の筐体は、前面が開口した箱型形状に構成され、内部に制御回路等を収納する筐体枠２と、筐体枠２の前面開口を塞ぐように開閉自在に配される前扉１００とから構成されている。
【００２１】
前扉１００の正面には、パネル表示部２ａが略垂直面形状に形成されており、パネル表示部２ａの前面には、液晶表示装置５が設けられている。この液晶表示装置５には、遊技に関する情報、内部当籤役に関する情報、あるいはアニメーション等による各種の演出を表示することができる。
【００２２】
液晶表示装置５の中央奥には、外周面に図柄を付した回転体のリール３（左リール３Ｌ、中リール３Ｃ、及び右リール３Ｒから構成される。）が並設されており、リール３の前面から離間して配した液晶表示装置５を通して、リール３に配した図柄を視認することができる構成を備えている。
【００２３】
また、図１、図２に示すように、回胴式遊技機１のパネル表示部２ａの中央には、左リール３Ｌ、中リール３Ｃ、及び右リール３Ｒの外周面に付された図柄を見るための透光式の表示窓４Ｌ，４Ｃ，４Ｒ（図柄表示手段）が設けられており、表示窓４Ｌ，４Ｃ，４Ｒには、有効ライン８が表示されている。
【００２４】
有効ライン８は、水平方向中央に配されたセンターライン８ａと、水平方向上部に配されたトップライン８ｂと、水平方向下部に配されたボトムライン８ｃと、斜め右下がりに配されたクロスダウンライン８ｄと、斜め右上がりに配されたクロスアップライン８ｅとから構成されている。
【００２５】
これらの有効ライン８は、台座部１０の左側に設けられているＭＡＸＢＥＴスイッチ１３を操作してクレジットされているメダルを必要枚数引出すか、又は実際にメダル投入口１５に必要枚数のメダルを投入することにより有効化することができる。有効ライン８の全てが有効化されると、ＢＥＴランプ９が点灯する。
【００２６】
クレジット表示部１９は、例えば７セグメントＬＥＤから構成され、クレジットされているメダル枚数を表示する。クレジットされているメダル枚数は、遊技者がゲームで獲得し、払出されるべきメダルの払出を行わずに、後述するＣ／Ｐスイッチ１４の操作によって遊技機内に貯留させているものである。クレジットされているメダル枚数は、後述するＲＡＭ３３（図５参照。）に確保した所定の記憶領域に記憶されている。
【００２７】
有効ライン８は、表示窓４Ｌ，４Ｃ，４Ｒを通して表示される役の成否に関わる。具体的には、所定の内部当籤役に対応する図柄組合せを構成する図柄が、有効化されている何れかの有効ライン８上の位置に並んで停止表示された場合に、その所定の役が成立する。すなわち、内部当籤役が"赤ベル"であった場合に、"赤７−ベル−ベル"の図柄が、表示窓４Ｌ，４Ｃ，４Ｒの中段のセンターライン８ａ上に並んで停止表示された場合には、"赤ベル"の小役の入賞が成立して、所定枚数のメダルが払出される。
【００２８】
筐体枠２の内部には、各々の外周面に複数種類の図柄が描かれた左リール３Ｌ、中リール３Ｃ、及び右リール３Ｒが、回転自在に横一列に設けられている。左リール３Ｌ、中リール３Ｃ、及び右リール３Ｒに描かれた図柄のうちの一部は、各リールの前面に配設された透光部を有する表示窓４Ｌ，４Ｃ，４Ｒを通して視認することができる。図１及び図２に示す実施例では、左リール３Ｌ、中リール３Ｃ、及び右リール３Ｒ毎に、それぞれ独立した表示窓４Ｌ，４Ｃ，４Ｒを配設しているが、左リール３Ｌ、中リール３Ｃ、及び右リール３Ｒの全ての図柄の一部を一括して視認可能に表示する大型の表示窓を一つ配設するように構成してもよい。
【００２９】
左リール３Ｌ、中リール３Ｃ、及び右リール３Ｒは、遊技者による変動表示開始の指示、即ち、後述するスタートレバー６の操作により回転を開始し、定速（例えば８０回転／分。）で回転するように構成されている。
【００３０】
表示窓４Ｌ，４Ｃ，４Ｒの左側には、払出枚数表示部１８、ボーナス遊技情報表示部２０、ＷＩＮランプ２２が設けられている。払出枚数表示部１８は、７セグメントＬＥＤから構成され、入賞成立時におけるメダルの払出枚数を表示する。ボーナス遊技情報表示部２０は、７セグメントＬＥＤから構成され、レギュラーボーナス遊技状態（一般遊技状態と比較して内部当籤役決定手段により小役が決定される確率が高い遊技状態。）において行い得る単位遊技の回数や、「ビッグボーナス遊技状態」において払出されたメダルの総数等を表示する。ＷＩＮランプ２２は、「特別遊技状態」に移行する"ビッグボーナス"の内部当籤役が決定された場合に、演出態様に応じて点灯するランプである。
【００３１】
本発明に係る回胴式遊技機１では、複数の遊技状態が準備されており、所定の条件が成立したことを契機に、それぞれの遊技状態に遷移するように構成されている。例えば、基本の遊技状態となる「一般遊技状態」と、遊技者にとって有利となる所謂レギュラーボーナス遊技状態（「ＲＢ遊技状態」）と、「ＲＢ遊技状態」が繰り返し作動、又は「ＲＢ遊技状態」を高確率で作動させることができる複数種類の「特別遊技状態」と、遊技者が投入するメダルの消費を抑えて遊技を所定期間を上限に継続することが可能な「高確率再遊技状態」とが設定されている。
【００３２】
液晶表示装置５の下方には、水平面部を備えた台座部１０が形成されている。台座部１０の右側には、メダル投入口１５が設けられており、左側にはＭＡＸＢＥＴスイッチ１３が設けられている。
【００３３】
図１に示す回胴式遊技機１では、一般遊技状態においては３枚のメダルが投入操作されたこと、又はＭＡＸＢＥＴスイッチ１３を１回押下操作することにより貯留されているクレジットを消化して遊技を開始することができる。この操作により、上述の各有効ライン８を有効化することができる。
【００３４】
台座部１０の前面部における左寄り側には、遊技者が単位遊技で獲得したメダルを、クレジット（Ｃｒｅｄｉｔ）として蓄えるか、払出（Ｐａｙ）を行うかの切り換えを行うＣ／Ｐスイッチ１４が設けられている。Ｃ／Ｐスイッチ１４を操作することにより、クレジットモードから払出モードへの切り換えを行うことができる。
【００３５】
クレジットモードでは、メダルの払出が行われる所定の役が入賞すると、所定枚数を上限に、入賞した役に対応する払出枚数分のメダルがクレジットされる。また、払出モードでは、メダルの払出が行われる所定の役が入賞すると、入賞した役に対応する払出枚数分のメダルが、正面下部のメダル払出口１６から払出され、メダル受皿１７に貯められる。
【００３６】
Ｃ／Ｐスイッチ１４の右側には、遊技者の操作により左リール３Ｌ、中リール３Ｃ、及び右リール３Ｒを回転させ、表示窓４Ｌ，４Ｃ，４Ｒ内での図柄の変動表示を開始するためのスタートレバー６が設けられている。スタートレバー６は、所定の角度範囲内で揺動自在に取り付けられている。
【００３７】
台座部１０の前面部中央には、左リール３Ｌ、中リール３Ｃ、及び右リール３Ｒの回転を停止させることにより、図柄の変動表示を停止させるための、左停止ボタン７Ｌ、中停止ボタン７Ｃ、及び右停止ボタン７Ｒ（図柄停止操作手段）が設けられている。また、台座部１０の下方には、機械名称やキャラクタの図柄を表示する腰部パネル２５が設けられている。腰部パネル２５とメダル受皿１７との間には、演出等の音響効果を高める一対のスピーカ２１Ｌ，２１Ｒが設けられている。
【００３８】
パネル表示部２ａの上方には、図柄組合せ及びメダルの配当枚数等を表示する配当パネル２３が配設され、配当パネル２３の上方には、遊技効果を高める装飾用ランプ２４が配設されている。
【００３９】
なお、回胴式遊技機１を用いて実行する単位遊技は、基本的に遊技者によりスタートレバー６が操作されることで開始し、全てのリール３が停止したときに終了する。
【００４０】
また、本実施例では、全てのリール３が回転しているときに、左停止ボタン７Ｌ、中停止ボタン７Ｃ、及び右停止ボタン７Ｒの何れかを押下操作することにより行う最初のリールの停止操作を「第１停止操作」といい、「第１停止操作」の次に行われる停止操作を「第２停止操作」という。また、「第２停止操作」の次に行われる最後の停止操作を「第３停止操作」という。
【００４１】
図３は、左リール３Ｌ、中リール３Ｃ、及び右リール３Ｒにそれぞれ描かれた複数種類の図柄を２１個配列した図柄列の図柄配置テーブルを示す図であり、図４は、図３に示した図柄配列テーブルを実際の図柄列として表した図である。各図柄には、図柄位置を表すコードナンバー"０"〜"２０"が付されている。これら図柄位置とそのコードナンバーとを関連付ける情報は、後述するＲＯＭ３２（図５参照。）内に記憶されている。
【００４２】
左リール３Ｌ、中リール３Ｃ、及び右リール３Ｒの外周面上には、"赤７"、"青７"、"ベル"、"リプレイ"、"星"及び"黒星"の図柄を所定の順番で配列した図柄列が、それぞれ描かれている。左リール３Ｌ、中リール３Ｃ、及び右リール３Ｒは、各表示窓４Ｌ，４Ｃ，４Ｒ内において、図柄列が同図の上方向に向かって順次移動する方向に回転駆動される。
【００４３】
例えば「一般遊技状態」において、遊技者が３枚のメダルをメダル投入口１５に投入するか、又はＭＡＸＢＥＴスイッチ１３を操作することにより貯留されているクレジットを消化して有効ライン８の全てを有効化する。そして、遊技者がスタートレバー６を操作すると、左リール３Ｌ、中リール３Ｃ、及び右リール３Ｒが回転を開始する。遊技者が、左停止ボタン７Ｌ、中停止ボタン７Ｃ、及び右停止ボタン７Ｒを操作することにより停止操作を行うと、それぞれの停止操作に対応した左リール３Ｌ、中リール３Ｃ、及び右リール３Ｒが停止表示される。
【００４４】
このとき、有効ライン８に沿って、"赤ベル"、"青ベル"、"赤星"、"青星"、"赤特殊"及び"青特殊"等の小役の図柄組合せが停止表示されると、その小役に応じた枚数のメダルが払出される。また、有効ライン８に沿って、"リプレイ"の図柄組合せが停止表示されると、自動で次の単位遊技を行うメダルがクレジットされる。そして遊技者は、メダルを消費することなく再度単位遊技を実行することができる。
【００４５】
また、有効ライン８に沿って、"赤７"又は"青７"の図柄組合せが停止表示された場合には、"ＢＢ１"（第１特別遊技状態）又は"ＢＢ２"（第２特別遊技状態）の「特別遊技状態」が作動し、第１回目の「ＲＢ遊技状態」に移行する。また、上述の"赤ベル"、"青ベル"、"赤星"、"青星"、"赤特殊"及び"青特殊"の小役の図柄組合せ、又は"リプレイ"、"ＢＢ１"、"ＢＢ２"に係る図柄組合せ以外の図柄組合せが停止表示されたときには、"ハズレ"となる。なお、以降の記載では、"ＢＢ１"と"ＢＢ２"とを総称したものを"ＢＢ"と呼ぶことにする。
【００４６】
「一般遊技状態」とは、遊技者に有利となる特典が無い基本的な遊技状態を言う。具体的には、一般遊技状態用内部抽籤テーブル（後段で説明する図８参照。）を使用した内部抽籤処理が行われる遊技状態である。なお、"ＢＢ"に内部当籤したものの、設定された有効ライン８上に"ＢＢ"の図柄組合せを停止表示させることができなかった場合には、"ＢＢ"の表示役が成立するまで「持越役」として記憶しておく。
【００４７】
"ＢＢ"が「持越役」として記憶されている間は、持越状態となり、この"ＢＢ"が「持越役」として持越されている状態を、「ＢＢ内部当籤状態」（即ち、ボーナス持越状態。）と呼ぶ。この「持越役」のフラグは、データとして持越役格納領域（後段で説明する図１３参照。）に格納される。
【００４８】
「特別遊技状態」にあるときは、「ＲＢ遊技状態」に移行するための図柄組合せを高確率で抽籤するか、又は、自動的に「ＲＢ遊技状態」が繰り返し作動する。この「特別遊技状態」は、例えば遊技者がメダルを所定枚数（例えば、１２０枚。）を超えて払出されるまで継続する。
【００４９】
「ＲＢ遊技状態」とは、遊技者が遊技価値を獲得し易い遊技状態でいう。具体的には、メダルを獲得できる小役が決定されやすいＲＢ遊技状態用内部抽籤テーブル（後段で説明する図９参照。）を使用して内部抽籤処理が行われる遊技状態である。
【００５０】
例えば、１回の「ＲＢ遊技状態」における最大の単位遊技数（これを「ＲＢ遊技可能回数」という。）は、８回までである。また、この「ＲＢ遊技状態」においてメダルの払出が行われる小役の入賞回数は、８回に達するまでである。即ち、「ＲＢ遊技状態」において単位遊技数が８回に達するか、または小役の入賞回数が８回に達した場合に「ＲＢ遊技状態」が終了することになる。なお、後段にて説明する実施例では、「ＲＢ遊技状態」における遊技可能回数カウンタ及び入賞可能回数カウンタの初期値は双方とも８回に設定してあり（後段で説明する図１１参照。）、「ＲＢ遊技状態」においては必ず小役の入賞が成立するようにＲＢ遊技状態用内部抽籤テーブルが定められている（後段で説明する図９参照。）ので、単位遊技数が８回に達した場合に、同時に小役の入賞回数が８回に達することになる。
【００５１】
次に、回胴式遊技機１の主回路構成について図５を用いて説明する。図５は、回胴式遊技機１において遊技処理動作を制御する主制御回路５５を中心として、主制御回路５５に電気的に接続する周辺装置（アクチュエータ、スイッチ、周辺回路等）や、主制御回路５５から送信される制御信号に基づいて演出等を実行する副制御回路５６を表したブロック図である。
【００５２】
各周辺装置及び副制御回路５６等は、インターフェイス回路３８を介して主制御回路５５に接続されている。副制御回路５６では、主制御回路５５から送信される制御信号に基づいて、液晶表示装置５、ＬＥＤ類５７、ランプ類５８等を制御し、音量調節部５９の指示に基づき、スピーカ２１Ｌ，２１Ｒに出力する演出音を制御する。
【００５３】
主制御回路５５は、回路基板上に配置されたマイクロコンピュータ３０を主たる構成要素とし、これに乱数サンプリングのための回路、クロックパルス発生回路を加えた構成となっている。マイクロコンピュータ３０は、あらかじめ設定されたプログラムにしたがって制御動作を行うＣＰＵ３１と、記憶手段であるＲＯＭ３２及びＲＡＭ３３を備えている。
【００５４】
ＣＰＵ３１には、基準クロックパルスを発生するクロックパルス発生回路３４及び分周器３５と、抽出（サンプリング）される乱数を発生する乱数発生器３６と、乱数発生器３６で発生している乱数をサンプリングするサンプリング回路３７とが接続されている。
【００５５】
なお、乱数発生器３６で発生している乱数をサンプリングするための手段として、ＣＰＵ３１の動作プログラムに基づいて乱数を発生させ、発生させた乱数の中からサンプリングを行って乱数値を取得するように構成することもできる。その場合、乱数発生器３６及びサンプリング回路３７は省略可能であるが、乱数発生器３６及びサンプリング回路３７を、乱数のサンプリング動作をバックアップするものとして残しておくことも可能である。
【００５６】
マイクロコンピュータ３０のＲＯＭ３２には、ＣＰＵ３１における処理を実現するプログラムや、スタートレバー６を操作（スタート操作）する毎に行われる乱数のサンプリングで取得した乱数値を用いて内部抽籤処理を行う各種の内部抽籤テーブル、ボーナスが成立したときに設定する各種情報設定値が規定されたボーナス作動時テーブル、左停止ボタン７Ｌ、中停止ボタン７Ｃ、及び右停止ボタン７Ｒの操作に応じて、対応する左リール３Ｌ、中リール３Ｃ、及び右リール３Ｒの停止態様を決定するための停止テーブル、副制御回路５６に送信する制御信号などが記憶されている。
【００５７】
ＲＡＭ３３には、種々の情報が格納される。例えば、抽出した乱数値、各種フラグ（例えば、ＢＢ１作動中フラグ、ＢＢ２作動中フラグ、ＲＢ作動中フラグ、ＲＴ作動中フラグ等）、メダルのクレジット枚数、遊技状態の情報などが格納される。尚、主制御回路５５から副制御回路５６に対しては一方向による通信で、制御信号等が出力される。
【００５８】
マイクロコンピュータ３０からの制御信号により、動作が制御される主要なアクチュエータとしては、ホッパー駆動回路４２の指令により収納しているメダルの中から所定枚数のメダルを払出すホッパー４３や、左リール３Ｌ、中リール３Ｃ、及び右リール３Ｒを回転駆動するステッピングモータ４０Ｌ，４０Ｃ，４０Ｒなどがある。
【００５９】
ステッピングモータ４０Ｌ，４０Ｃ，４０Ｒを駆動制御するモータ駆動回路３９（図柄変動手段）、及びホッパー４３を駆動制御するホッパー駆動回路４２は、インターフェイス回路３８を介してＣＰＵ３１の出力部に接続されている。これらの駆動回路は、それぞれＣＰＵ３１から出力される駆動指令などの制御信号を受けて、各アクチュエータの動作を制御する。なお、モータ駆動回路３９は、ステッピングモータ４０Ｌ，４０Ｃ，４０Ｒを任意の速度での回転させることや、任意の位置に停止させる制御を行うことができる。
【００６０】
マイクロコンピュータ３０が一連の遊技を実行するために必要となる入力信号を発生する入力信号発生手段として、リール停止信号回路４６、スタートスイッチ６Ｓ（開始操作検出手段）、投入メダルセンサ５０（投入操作検出手段）、ＭＡＸＢＥＴスイッチ１３、Ｃ／Ｐスイッチ１４、リール位置検出回路４１、払出完了信号回路４５などが設けられており、これらはインターフェイス回路３８を介してＣＰＵ３１に接続されている。
【００６１】
スタートスイッチ６Ｓは、スタートレバー６の操作を検出してスタートスイッチ信号を発生する。投入メダルセンサ５０は、メダル投入口１５に投入されたメダルを検出する。
【００６２】
ＣＰＵ３１（有効ライン規定手段）は、投入メダルセンサ５０によりメダルの投入を検出した後、投入されたメダル枚数を計数して、ＲＡＭ３３に最大５０枚のメダルをクレジットとして記憶させておくことができる。ＣＰＵ３１は、ＲＡＭ３３にクレジットされているメダルをＭＡＸＢＥＴスイッチ１３の操作に応じた枚数だけ減算するか、あるいは所定枚数のメダルがメダル投入口１５に投入されたことを条件に有効ライン８を有効化し、ＢＥＴランプ９を点灯させる。
【００６３】
左リール３Ｌ、中リール３Ｃ、及び右リール３Ｒの回転が開始された後、ステッピングモータ４０Ｌ，４０Ｃ，４０Ｒの各々に供給された駆動パルスの数が計数され、その計数値はＲＡＭ３３の所定エリアに書き込まれる。リール位置検出回路４１に接続されているフォトインタラプタ（図示せず。）によって左リール３Ｌ、中リール３Ｃ、及び右リール３Ｒが一回転する毎にリセットパルスが検出され、当該リセットパルスはリール位置検出回路４１を介してＣＰＵ３１に入力される。
【００６４】
こうして得られたリセットパルスが入力される毎に、ＲＡＭ３３で計数されている駆動パルスの計数値が「０」にクリアされる。このようにして、ＲＡＭ３３内には、左リール３Ｌ、中リール３Ｃ、及び右リール３Ｒが一回転する間の範囲内において、左リール３Ｌ、中リール３Ｃ、及び右リール３Ｒの回転位置に対応した計数値が格納される。
【００６５】
また、ＲＯＭ３２内には、図３に示す図柄配置テーブルが格納されている。図柄配置テーブルは、左リール３Ｌ、中リール３Ｃ、及び右リール３Ｒが全て停止した後に、表示役を確認する場合や、小役の入賞が成立してメダルを払出す場合に参照される。
【００６６】
ＣＰＵ３１（内部当籤役決定手段）は、前述したサンプリングした乱数値に基づいて内部抽籤処理を行う。そして、ＣＰＵ３１（停止制御手段）は、遊技者が左停止ボタン７Ｌ、中停止ボタン７Ｃ、及び右停止ボタン７Ｒを押下操作したそれぞれのタイミングで、リール停止信号や内部当籤役により滑りコマ数（図柄の停止許容範囲）を決定し、左リール３Ｌ、中リール３Ｃ、及び右リール３Ｒをそれぞれ所定の位置に停止させる制御を行う。
【００６７】
ＣＰＵ３１が内部抽籤処理を行った後に、有効ライン８上に停止した図柄が入賞を示す停止態様となれば、ＣＰＵ３１（遊技媒体払出手段の一形態。）は、Ｃ／Ｐスイッチ１４により設定されたモードに応じて、ＲＡＭ３３にセットされたクレジットカウンタの更新を行う。あるいは、払出指令信号をホッパー駆動回路４２に出力して、ホッパー４３（遊技媒体払出手段の一形態。）から所定枚数のメダルの払出を行う。
【００６８】
その際、メダル検出部４４は、ホッパー４３から払出されるメダル枚数を計数し、計数した枚数が指定された数に達した時には、メダル払出完了信号が払出完了信号回路４５からＣＰＵ３１に入力される。これにより、ＣＰＵ３１は、ホッパー駆動回路４２を介してホッパー４３の駆動を停止し、「メダル払出処理」を終了する。
【００６９】
副制御回路５６は、主制御回路５５からの制御信号に基づいて液晶表示装置５の表示制御、ＬＥＤ類５７（払出枚数表示部１８、クレジット表示部１９、ボーナス遊技情報表示部２０）や、ランプ類５８（ＢＥＴランプ９、ＷＩＮランプ２２、装飾用ランプ２４等）の点灯制御、及びスピーカ２１Ｌ，２１Ｒからの音の出力制御を行う。また、副制御回路５６は、音量調節部５９の操作を検出したことに基づいて、スピーカ２１Ｌ，２１Ｒから発する音量の調整を行う。また、副制御回路５６は、遊技場の従業員等により操作部６０が操作されたことを検出して、日付の設定等を行うことができる。
【００７０】
他方、副制御回路５６は、主制御回路５５を構成する回路基板とは別の回路基板上に構成されており、図６（詳細は、後段にて説明する。）に示す音・ランプ制御マイコン１１１及び画像制御マイコン８１を備えている。主制御回路５５から送信された制御信号に基づいて、音・ランプ制御マイコン１１１、及び画像制御マイコン８１が、演出データ（画像情報、発光パターン情報、音情報の制御情報を含む。）の決定及び出力など、各種の処理を行う。
【００７１】
図６は、副制御回路５６の構成を示すブロック図である。副制御回路５６は、画像制御回路５６ａと、音・ランプ制御回路５６ｂとから構成されている。この画像制御回路５６ａ及び音・ランプ制御回路５６ｂは、主制御回路５５を構成する回路基板とは各々別の回路基板上に構成されているが、これらの機能を統合することにより、主制御回路５５と一体に構成してもよい。
【００７２】
図６に示す実施例では、主制御回路５５と画像制御回路５６ａとの間の通信は、主制御回路５５から画像制御回路５６ａへの一方向で行われ、画像制御回路５６ａから主制御回路５５に対して、コマンド、その他の情報が送信されることはない。また、画像制御回路５６ａと音・ランプ制御回路５６ｂとの間の通信は、画像制御回路５６ａから音・ランプ制御回路５６ｂへの一方向で行われ、音・ランプ制御回路５６ｂから画像制御回路５６ａへコマンド、情報等が送信されることはない。
【００７３】
画像制御回路５６ａは、画像制御マイコン８１、シリアルポート８２、プログラムＲＯＭ８３、ワークＲＡＭ８４、カレンダＩＣ８５、画像制御ＩＣ８６、制御ＲＡＭ８７、画像ＲＯＭ８８（キャラクタＲＯＭ）及びビデオＲＡＭ８９で構成される。
【００７４】
画像制御マイコン８１は、ＣＰＵ、割込コントローラ、入出力ポート、シリアルポート８２を備えている。画像制御マイコン８１に備えられたＣＰＵは、主制御回路５５から送信されたコマンドに基づき、プログラムＲＯＭ８３内に格納されたプログラムに従って各種の処理を行う。なお、画像制御回路５６ａは、乱数発生器及びサンプリング回路を備えていないが、プログラムＲＯＭ８３に格納されたプログラムを画像制御マイコン８１が実行することによって、乱数値を抽出して演出データの抽籤処理を行うように構成されている。
【００７５】
シリアルポート８２は、主制御回路５５から送信されるコマンド等を受信する。プログラムＲＯＭ８３は、画像制御マイコン８１が実行するプログラムを格納する。
【００７６】
ワークＲＡＭ８４は、画像制御マイコン８１がプログラムを実行する場合に、一時的に情報を記憶するための手段として設けられる。ワークＲＡＭ８４には、後述の演出データなど、種々の情報が格納される。
【００７７】
カレンダＩＣ８５は、日付データやタイマ用の時間を計数する。画像制御マイコン８１には、操作部６０が接続されている。実施例では、この操作部６０を遊技場の従業員等が操作することにより日付の設定等を行うことが可能となっている。画像制御マイコン８１は、操作部６０から送信される入力信号に基づいて設定された日付情報を、カレンダＩＣ８５に転送する。カレンダＩＣ８５に転送された日付情報は主電源遮断後もバックアップされている。
【００７８】
前述のワークＲＡＭ８４とカレンダＩＣ８５は、電源遮断時のバックアップ対象となっている。つまり、画像制御マイコン８１に供給される電源が遮断された場合であっても、電源が供給され続け、記憶された情報等の消失が防止される。
【００７９】
画像制御ＩＣ８６は、画像制御マイコン８１により決定された演出内容（例えば、後述の演出データ。）に応じた画像を生成し、液晶表示装置５に出力する。
【００８０】
制御ＲＡＭ８７は、画像制御ＩＣ８６内に形成されている。画像制御マイコン８１は、この制御ＲＡＭ８７に対して情報等の書き込みや読み出しを行う。また、制御ＲＡＭ８７には、画像制御ＩＣ８６のレジスタ等が展開されている。画像制御マイコン８１は、画像制御ＩＣ８６のレジスタ等を所定のタイミング毎に更新する。
【００８１】
画像制御ＩＣ８６には、液晶表示装置５と、画像ＲＯＭ８８と、ビデオＲＡＭ８９とが接続されている。なお、画像ＲＯＭ８８は、画像制御マイコン８１に接続された構成であってもよい。この場合、３次元画像データなど大量の画像データを処理する場合に有効な構成となる場合がある。画像ＲＯＭ８８は、画像を生成するための画像データ等を格納する。ビデオＲＡＭ８９は、画像制御ＩＣ８６で画像を生成する場合に一時的に情報を記憶するための手段である。また、画像制御ＩＣ８６は、ビデオＲＡＭ８９のデータを液晶表示装置５へ転送終了する毎に画像制御マイコン８１に信号を送信する。
【００８２】
また、画像制御回路５６ａでは、画像制御マイコン８１が、音・ランプの演出の制御を行うことが可能となっている。画像制御マイコン８１は、決定された演出内容（例えば、後述の演出データや、特殊演出を決定する特殊演出データ。）に基づいて、音・ランプの種類に関する情報、及び出カタイミングを決定する。そして、画像制御マイコン８１は、所定のタイミング毎に、音・ランプ制御回路５６ｂにシリアルポート８２を介してコマンドを送信する。音・ランプ制御回路５６ｂでは、主に、画像制御回路５６ａから送信されたコマンドに応じて、音・ランプの出力制御を行うこととなる。
【００８３】
音・ランプ制御回路５６ｂは、音・ランプ制御マイコン１１１、シリアルポート１１２、プログラムＲＯＭ１１３、ワークＲＡＭ１１４、音源ＩＣ１１５、パワーアンプ１１６、音源ＲＯＭ１１７で構成される。
【００８４】
音・ランプ制御マイコン１１１は、ＣＰＵ、割込コントローラ、入出力ポートを備えている。音・ランプ制御マイコン１１１に備えられたＣＰＵは、画像制御回路５６ａから送信されたコマンドに基づき、プログラムＲＯＭ１１３内に格納されたプログラムに従って音・ランプの出力を制御するための処理を行う。
【００８５】
また、音・ランプ制御マイコン１１１には、ＬＥＤ類５７、ランプ類５８等が接続されている。音・ランプ制御マイコン１１１は、画像制御回路５６ａから所定のタイミングで送信されるコマンドに応じて、このＬＥＤ類５７、ランプ類５８等に駆動信号を出力する。これにより、ＬＥＤ類５７及びランプ類５８が演出に応じた所定の態様で発光することとなる。
【００８６】
シリアルポート１１２は、画像制御回路５６ａから送信されるコマンド等を受信する。プログラムＲＯＭ１１３は、音・ランプ制御マイコン１１１が実行するプログラム等を格納する。ワークＲＡＭ１１４は、音・ランプ制御マイコン１１１が前述したプログラムを実行する場合に一時的に情報を記憶するための手段である。
【００８７】
音源ＩＣ１１５は、画像制御回路５６ａから送信されたコマンドと音源ＲＯＭ１１７を参照して音源を生成し、パワーアンプ１１６に出力する。パワーアンプ１１６は増幅器であり、このパワーアンプ１１６にはスピーカ２１Ｌ，２１Ｒが接続されている。パワーアンプ１１６は、音源ＩＣ１１５から出力された音源を増幅し、増幅した音をスピーカ２１Ｌ，２１Ｒから出力させる。音源ＲＯＭ１１７は、音源を生成するための音源データ等を格納する。
【００８８】
また、音・ランプ制御マイコン１１１には、音量調節部５９が接続されている。音量調節部５９は、遊技場の従業員等により操作可能となっており、スピーカ２１Ｌ，２１Ｒから出力される音量の調節を行うための手段である。音・ランプ制御マイコン１１１は、音量調節部５９から得られる情報に基づいて、スピーカ２１Ｌ，２１Ｒから出力される音の音量を調節する制御を行う。
【００８９】
次に、図７から図１７を用いて、抽籤回数の決定処理及び内部当籤役決定処理に用いる各種テーブル及びフラグについて説明する。図７には内部抽籤テーブル決定テーブルを示し、図８には、一般遊技状態用内部抽籤テーブルを示し、図９には、ＲＢ遊技状態用内部抽籤テーブルを示し、図１０には、ＲＴ遊技状態用内部抽籤テーブルを示す。また、図１１には、ボーナス作動時テーブルを示し、図１２には、作動中フラグ格納領域に記憶する内容とそのデータを示し、図１３には、持越役格納領域に記憶する内容とそのデータを示す。また、図１４には、小役・リプレイ用内部当籤役決定テーブルを示し、図１５には、ボーナス用内部当籤役決定テーブルを示し、図１６には図柄組合せテーブルを示し、図１７には、内部当籤役１格納領域及び表示役１格納領域に記憶する内容とそのデータを示し、図１８には、内部当籤役２格納領域及び表示役２格納領域に記憶する内容とそのデータを示す。
【００９０】
図７に示す内部抽籤テーブル決定テーブルには、各遊技状態に応じてＣＰＵ３１が参照する内部抽籤テーブル（後述の図８に示す一般遊技状態用内部抽籤テーブル、図９に示すＲＢ遊技状態用内部抽籤テーブル、図１０に示すＲＴ遊技状態用内部抽籤テーブル参照。）及び、それぞれのテーブルを参照した際にＣＰＵ３１が実行する抽籤回数の情報を記憶している。ＲＴ遊技状態用内部抽籤テーブルを参照する際には、抽籤回数として一般遊技状態用内部抽籤テーブルを参照する場合と同一の抽籤回数「６」を用いる。なお、各遊技状態においては、後述するように内部抽籤処理においてＣＰＵ３１により決定される可能性のある内部当籤役の種類、その内部当籤役が決定される確率等がそれぞれ定められている。
【００９１】
現在作動中の遊技状態が「一般遊技状態」である場合には、図８に示す一般遊技状態用内部抽籤テーブルが選択され、基本的に最大抽籤回数として「６」が決定される（後述の図２２のステップＳ１０２参照。）。「ＲＢ遊技状態」の場合には、図９に示すＲＢ遊技状態用内部抽籤テーブルが選択され、最大抽籤回数として「１」が決定される。「高確率再遊技状態」の場合には、図１０に示すＲＴ遊技状態用内部抽籤テーブルが選択され、最大抽籤回数として「一般遊技状態」と同一の「６」が決定される。この抽籤回数は、サンプリング回路３７により抽出した一の乱数値から、図８及び図９に示される抽籤値を減算する処理を繰り返した結果が負の値となった際に、その時の抽籤回数が当籤番号として決定され、内部当籤役に関するデータポインタを取得する際に用いられる。
【００９２】
次に、図８〜図１０を参照しながら、内部当籤役を決定するための内部抽籤処理（後述の図２２参照。）において、ＣＰＵ３１が参照する内部抽籤テーブルについて説明する。内部抽籤テーブルは、抽籤値に対応した当籤番号と、小役・リプレイ用データポインタ及びボーナス用データポインタとの情報を備えている。内部抽籤テーブルに示される抽籤値は、抽出した乱数値から抽籤回数毎に減算してゆく際に用いる値であり、当籤確率に対応した数値である。
【００９３】
例えば、図８及び図９に示される抽籤値を、抽出される乱数値の範囲（即ち、「６５５３６」。）で除算することで、各当籤番号に当籤する確率（所謂、当籤確率。）を算出することができる。図８に示す一般遊技状態用内部抽籤テーブルによれば、当籤番号１〜６までの６回の抽籤を行い得るが、抽出した乱数値の値が十分大きな値であった場合には、６回の抽籤回数を消化した後であっても乱数値から抽籤値を減算した結果が負の値にならない。この場合には、何れの役も抽籤されなかったことにより"ハズレ"となる。なお、「一般遊技状態」における"ハズレ"の当籤確率は、１から当籤番号１〜６までの当籤確率を減算した結果の値となる。
【００９４】
「一般遊技状態」において抽出した乱数値が５００であった場合には、この値を乱数データとしてセットし、この乱数データから抽籤値を順次減算してゆくと、１回目の抽籤処理において乱数データは−１２となり、負の値をとる。これにより当籤番号として「６」を決定し、小役・リプレイ用データポインタとして「１」が決定する。更に、ボーナス用データポインタとして「１」が決定する。この状態では、後段にて説明する図１４及び図１５を参照すると明らかなように、"リプレイ"と、"ＢＢ１"と、"ＢＢ２"とが内部当籤役として決定される（即ち、同時に当籤する。）。なお、本実施例においては、変動表示している図柄の停止態様としては、"ＢＢ１"及び"ＢＢ２"よりも"リプレイ"が優先され、"ＢＢ１"及び"ＢＢ２"は次の遊技に持ち越される。
【００９５】
図９に示すＲＢ遊技状態用内部抽籤テーブルを参照すると明らかなように、「ＲＢ遊技状態」においては、抽籤値が抽出される乱数値（すなわち「０」〜「６５５３５」）より大きな値「６５５３６」であるので、必ず当籤番号として「１」（すなわち、小役・リプレイ用のデータポインタが「２」）が決定される。この状態では、後段にて説明する図１４の小役・リプレイ用内部当籤役決定テーブルを参照すると明らかなように、"赤ベル"と"青ベル"の双方の小役が内部当籤役として決定されることになる。したがって、「ＲＢ遊技状態」においては、ボーナス用のデータポインタは得られず、「ＲＢ遊技状態」において"ＢＢ"が内部当籤することはない。
【００９６】
本実施例においては、図１０に示すＲＴ遊技状態用内部抽籤テーブルと図８に示す一般遊技状態用内部抽籤テーブルとを対比すると明らかなように、両者の内部抽籤テーブルで異なるのは、当籤番号１の"リプレイ"の抽籤値である。図１０に示すように、「高確率再遊技状態」においては、「一般遊技状態」と比較して"リプレイ"に内部当籤する確率を大きく設定することにより、遊技者のメダルの消費量を抑えて遊技を行うことを可能にしてある。なお、本実施例では、"ＢＢ１"（第１特別遊技状態）の終了後に作動する「高確率再遊技状態」における"リプレイ"の当籤確率（第１の再遊技当籤確率）と、"ＢＢ２"（第２特別遊技状態）の終了後に作動する「高確率再遊技状態」における"リプレイ"の当籤確率（第２の再遊技当籤確率）とを同一の値に設定してあるが、第１の再遊技当籤確率と第２の再遊技当籤確率を異なる値に設定することもできる。
【００９７】
図８の一般遊技状態用内部抽籤テーブルを用いた際の小役と"リプレイ"のみによるメダルの期待値ＪＧは、以下の（式４）のように算出される。なお、小役と"リプレイ"は取りこぼすことなく、全ての図柄組合せを停止表示させるものとする。また、"赤特殊"及び"青特殊"の小役については、必ず外すものとする。
【００９８】
ＪＧ＝ＰＲ×（ＩＢ−ＮＭ）＋ＰＳ×（ＩＳ−ＮＭ）−ＰＨＩ×ＮＭ
≒−０．５２６ …（式４）
但し、
ＪＧ：一般遊技状態用内部抽籤テーブルを用いた際の小役と"リプレイ"のみによるメダルの期待値
ＰＲ："青ベル"及び"赤ベル"の当籤確率（１０２４０／６５５３６）
ＰＳ："赤星"及び"青星"の当籤確率（１０２４／６５５３６）
ＰＨＩ："ハズレ"の当籤確率（４５２９２／６５５３６）
ＩＢ："青ベル"及び"赤ベル"の小役の払出枚数（１３枚）
ＩＳ："赤星"及び"青星"の小役の払出枚数（２枚）
ＮＭ：１単位遊技を実行する際に必要なメダル枚数（３枚）
【００９９】
他方、図１０のＲＴ遊技状態用内部抽籤テーブルを用いた際には、小役と"リプレイ"のみによる単位遊技におけるメダルの純増数量ＪＲは、以下の（式５）のように、純増枚数が「０」と算出される。なお、ＰＲ、ＰＳ、ＩＢ、ＩＳ、ＮＭの値は（式４）を算出する際に用いた値と同一であるので、説明を省略する。なお、小役と"リプレイ"は取りこぼすことなく、全ての図柄組合せを停止表示させるものとする。また、"赤特殊"及び"青特殊"の小役については、必ず外すものとする。
【０１００】
ＪＲ＝ＰＲ×（ＩＢ−ＮＭ）＋ＰＳ×（ＩＳ−ＮＭ）−ＰＨＲ×ＮＭ
＝０ …（式５）
但し、
ＪＲ：ＲＴ遊技状態用内部抽籤テーブルを用いた際には、小役と"リプレイ"のみによる単位遊技におけるメダルの純増数量
ＰＲ："青ベル"及び"赤ベル"の当籤確率（１０２４０／６５５３６）
ＰＳ："赤星"及び"青星"の当籤確率（１０２４／６５５３６）
ＩＢ："青ベル"及び"赤ベル"の小役の払出枚数（１３枚）
ＩＳ："赤星"及び"青星"の小役の払出枚数（２枚）
ＮＭ：１単位遊技を実行する際に必要なメダル枚数（３枚）
ＰＨＲ："ハズレ"の当籤確率（３３７９２／６５５３６）
【０１０１】
次に、図１１を参照して、ボーナス作動監視処理（図２０参照。）等において参照されるボーナス作動時テーブルについて説明する。
【０１０２】
ボーナス作動時テーブルには、作動中フラグ格納領域に格納されているＢＢ１作動中フラグ、ＢＢ２作動中フラグ及びＲＢ作動中フラグの情報と、ボーナス終了枚数カウンタに格納される値の情報と、遊技可能回数カウンタに格納される値の情報と、入賞可能回数カウンタに格納される値の情報とが、「ＲＢ作動時」、「ＢＢ１作動時」、及び「ＢＢ２作動時」の遊技状態毎に関連付けて記憶されている。
【０１０３】
ボーナス終了枚数カウンタは、「特別遊技状態」におけるメダル払出枚数を計数するカウンタであり、「特別遊技状態」の終了を判断する際に用いる。図１１に示すように、「ＢＢ１作動時」においてボーナス終了枚数カウンタに代入するメダル払出枚数は１２０枚（第１の払出数量）であり、「ＢＢ２作動時」においてボーナス終了枚数カウンタに代入するメダル払出枚数も１２０枚（第２の払出数量）である。
【０１０４】
図１１に示す遊技可能回数カウンタは、一の「ＲＢ遊技状態」において実行することが可能な残りの単位遊技の回数（即ち、遊技可能回数。）を計数するためのカウンタである。入賞可能回数カウンタは、一の「ＲＢ遊技状態」において小役を成立させることが可能な残りの単位遊技の回数（即ち、入賞可能回数。）を計数するためのカウンタである。
【０１０５】
次に、現在作動中の遊技状態を表すフラグと、そのビットデータとの関係を図１２に示す。
【０１０６】
作動中フラグとは、現在作動中の遊技状態を識別するための情報である。作動中フラグ格納領域のビット０には、現在の遊技状態が「ＲＢ遊技状態」であるか否か（即ち、レギュラーボーナス遊技状態が作動しているか否か。）を識別するためのＲＢ作動中フラグを格納する。
【０１０７】
作動中フラグ格納領域のビット１には、現在の遊技状態が「ＢＢ１作動時」であるか否か（即ち、ビッグボーナス遊技状態のうちの「ＢＢ１遊技状態」が作動しているか否か。）を識別するためのＢＢ１作動中フラグを格納する。
【０１０８】
作動中フラグ格納領域のビット２には、現在の遊技状態が「ＢＢ２作動時」であるか否か（即ち、ビッグボーナス遊技状態のうちの「ＢＢ２遊技状態」が作動しているか否か。）を識別するためのＢＢ２作動中フラグを格納する。
【０１０９】
また、作動中フラグ格納領域のビット３には、現在の遊技状態が「ＲＴ作動時」であるか否か（即ち、「高確率再遊技状態」が作動しているか否か。）を識別するためのＲＴ作動中フラグを格納する。なお、作動中フラグ格納領域のビット０〜ビット３の全てが「０」の場合は、「一般遊技状態」となる。なお、ビット４〜ビット７は、未使用の格納領域である。
【０１１０】
次に、図１３を参照して、持越役格納領域について説明する。
【０１１１】
図１３は、「持越役」のフラグをデータとして格納するための持越役格納領域を表す図表である。１バイト（８ビット。）からなる持越役格納領域において、ビット０が、"ＢＢ１"に対応する持越役格納領域として割り当てられ、ビット２が、"ＢＢ２"に対応する持越役格納領域として割り当てられている。ビット２〜ビット７は、未使用の格納領域である。「持越役」は、内部抽籤処理（後述の図２２参照。）において"ＢＢ１"及び"ＢＢ２"が決定されたか、又は予め「持越役」が存在していたにもかかわらず、有効ライン８に沿って停止表示した図柄組合せが"ＢＢ１"又は"ＢＢ２"の図柄組合せではなかった場合に、以降の遊技に"ＢＢ１"及び"ＢＢ２"の内部当籤役を持越すための情報である。
【０１１２】
例えば、後述する図２２の内部抽籤処理において、"ＢＢ１"及び"ＢＢ２"の当たり要求フラグが決定された場合には、ＣＰＵ３１（内部当籤役持越手段）により、持越役格納領域のビット０及びビット１に「１」が格納される。すなわち、持越役格納領域に「００００００１１」が格納される。なお、"ＢＢ１"又は"ＢＢ２"の何れか一方の表示役が成立した場合には、後述する図３０のステップＳ３０５にて、図１３に示す持越役格納領域のビット０及びビット１を「０」にクリアし、「持越状態」を解除することとなる。
【０１１３】
次に、図１４及び図１５を参照して、データポインタに基づいて当たり要求フラグを決定するための内部当籤役決定テーブルについて説明する。
【０１１４】
図１４及び図１５に示す内部当籤役決定テーブルは、各データポインタに対応した当たり要求フラグのデータを備えている。当たり要求フラグのデータは、１バイトからなるデータであり、それぞれの内部当籤役を識別するために、それぞれの内部当籤役毎に設けられている。図示例では、内部当籤役として、"ハズレ"、"赤ベル"及び"青ベル"、"赤星"及び"青星"、"赤特殊"（第１特殊役）、"青特殊"（第２特殊役））、"リプレイ"（再遊技役）、並びに"ＢＢ１"（第１特別遊技役）及び"ＢＢ２"（第２特別遊技役）が設定されている。
【０１１５】
具体的には、図１４に示されるように、小役・リプレイ用データポインタが「０」の場合には、当たり要求フラグのデータとして「００００００００」が決定される。この当たり要求フラグのデータに対応するのは、いずれの内部当籤役にも内部当籤していない"ハズレ"である。小役・リプレイ用データポインタが「１」の場合には、内部当籤役データとして「０００００００１」が決定される。この当たり要求フラグのデータに対応する内部当籤役は、"リプレイ"である。小役・リプレイ用データポインタが「２」の場合には、当たり要求フラグのデータとして「０００００１１０」が決定される。この当たり要求フラグのデータに対応する内部当籤役は、"赤ベル"及び"青ベル"である。小役・リプレイ用データポインタが「３」の場合には、当たり要求フラグのデータとして「０００１１０００」が決定される。この当たり要求フラグのデータに対応する内部当籤役は、"赤星"及び"青星"である。小役・リプレイ用データポインタが「４」の場合には、当たり要求フラグのデータとして「００１０００００」が決定される。この当たり要求フラグのデータに対応する内部当籤役は、"赤特殊"である。小役・リプレイ用データポインタが「５」の場合には、当たり要求フラグのデータとして「０１００００００」が決定される。この当たり要求フラグのデータに対応する内部当籤役は、"青特殊"である。
【０１１６】
また、図１５に示すように、ボーナス用データポインタが「０」の場合には、当たり要求フラグのデータとして「００００００００」が決定される。この当たり要求フラグのデータに対応するのは、"ＢＢ１"及び"ＢＢ２"のいずれにも内部当籤していない"ハズレ"である。ボーナス用データポインタが「１」の場合には、当たり要求フラグのデータとして「００００００１１」が決定される。この当たり要求フラグのデータに対応する内部当籤役は、"ＢＢ１"及び"ＢＢ２"である。
【０１１７】
次に、図１６を参照して、表示役の決定、及び決定された表示役に対応する払出枚数の決定に用いられる、図柄組合せテーブルについて説明する。
【０１１８】
回胴式遊技機１においては、スタートレバー６が遊技者によって操作されると内部抽籤処理を行い、内部当籤役（例えば、"リプレイ"、"赤ベル"、"青ベル"、"赤星"、"青星"、"赤特殊"、"青特殊"、"ＢＢ１"、"ＢＢ２"等）を決定すると同時に、左リール３Ｌ、中リール３Ｃ、及び右リール３Ｒを回転駆動する。
【０１１９】
そして、遊技者が左停止ボタン７Ｌ、中停止ボタン７Ｃ、又は右停止ボタン７Ｒを押下操作することによって、回転している左リール３Ｌ、中リール３Ｃ、及び右リール３Ｒが停止制御される。このとき、停止した左リール３Ｌ、中リール３Ｃ、及び右リール３Ｒにおける図柄組合せが、上記内部当籤役に対応する図柄組合せとして、有効化された有効ライン８上に停止表示されているか否かの判断が、ＣＰＵ３１によって行われる。
【０１２０】
内部当籤役に対応する図柄組合せが、有効ライン８上に停止表示された場合には、小役、"リプレイ"、"ＢＢ１"又は"ＢＢ２"等の表示役が成立することになる。ここで「小役」とは、内部当籤役に対応する図柄組合せが有効ライン８上に停止表示され、前記図柄組合せに対応してメダルの払出の行われるものを示す。この他にも、メダルの払出しが行われない図柄の組合せであって、「高確率再遊技状態」等を終了させる表示役（所謂落ち役と称される役。）や、普通役物（所謂シングルボーナス等。）が作動する表示役、第１種特別役物（所謂レギュラーボーナス等。）が作動する表示役、第２種特別役物（所謂チャレンジゲーム等。）が作動する表示役、第２種特別役物の役物連続作動装置（所謂ミドルボーナス等。）が作動する表示役等を設けることができる。
【０１２１】
図１６に示す図柄組合せテーブルは、有効ライン８に沿ったそれぞれの図柄組合せに対応して、表示役データ及び払出枚数のデータを備えている。図１６に示す実施例では、表示役データは、１バイトからなるデータである。なお、図１６に示す実施例では、「一般遊技状態」におけるメダルの投入枚数は３枚（ＮＭ）とし、「ＲＢ遊技状態」においては２枚とするとともに、払出枚数もメダルの投入枚数に応じて差を設けている。
【０１２２】
図１６に示す実施例では、有効ライン８に沿った図柄組合せとして"リプレイ−リプレイ−リプレイ"の図柄組合せが表示されると、表示役データとして「０００００００１」が決定されて、"リプレイ"の表示役が成立する。そして、再度メダルを投入することなく次回の遊技を行うことが可能となる。
【０１２３】
また、有効ライン８に沿った図柄組合せとして"赤７−ベル−ベル"の図柄組合せが表示されると、表示役データとして「００００００１０」が決定されて、"赤ベル"の表示役が成立する。そして、「一般遊技状態」及び「高確率再遊技状態」の場合には１３枚のメダルが払出され、「特別遊技状態」の場合には１５枚のメダルが払出される。
【０１２４】
また、有効ライン８に沿った図柄組合せとして"青７−ベル−ベル"の図柄組合せが表示されると、表示役データとして「０００００１００」が決定されて、"青ベル"の表示役が成立する。そして、「一般遊技状態」及び「高確率再遊技状態」の場合には１３枚のメダルが払出され、「特別遊技状態」の場合には１５枚のメダルが払出される。
【０１２５】
また、有効ライン８に沿った図柄組合せとして"赤７−星−星"の図柄組合せが表示されると、表示役データとして「００００１０００」が決定されて、"赤星"の表示役が成立する。そして、「一般遊技状態」の場合には２枚のメダルが払出され、「特別遊技状態」の場合には１５枚のメダルが払出され得る。
【０１２６】
また、有効ライン８に沿った図柄組合せとして"青７−星−星"の図柄組合せが表示されると、表示役データとして「０００１００００」が決定されて、"青星"の表示役が成立する。そして、「一般遊技状態」の場合には２枚のメダルが払出され、「特別遊技状態」の場合には１５枚のメダルが払出され得る。
【０１２７】
また、有効ライン８に沿った図柄組合せとして"赤７−星−ベル"の図柄組合せが表示されると、表示役データとして「００１０００００」が決定されて、"赤特殊"の表示役が成立する。そして、「一般遊技状態」の場合には３枚のメダルが払出され、「特別遊技状態」の場合には１５枚のメダルが払出され得る。
【０１２８】
また、有効ライン８に沿った図柄組合せとして"青７−星−ベル"の図柄組合せが表示されると、表示役データとして「０１００００００」が決定されて、"青特殊"の表示役が成立する。そして、「一般遊技状態」の場合には３枚のメダルが払出され、「特別遊技状態」の場合には１５枚のメダルが払出され得る。これらの小役、及び"リプレイ"の表示役データは、図１７に示す内部当籤役１格納領域に格納される。
【０１２９】
有効ライン８に沿った図柄組合せとして"赤７−赤７−赤７"の図柄組合せが表示されると、表示役データとして「０００００００１」が決定されて、"ＢＢ１"の表示役が成立する。
【０１３０】
有効ライン８に沿った図柄組合せとして"青７−青７−青７"の図柄組合せが表示されると、表示役データとして「００００００１０」が決定されて、"ＢＢ２"の表示役が成立する。これらの"ＢＢ１"及び"ＢＢ２"の表示役データは、図１８に示す内部当籤役２格納領域に格納される。"ＢＢ１"又は"ＢＢ２"の表示役が成立してもメダルの払出は行われないが、次回以降の遊技における遊技状態が「ＲＢ遊技状態」（所謂、レギュラーボーナス遊技状態。）となる。「ＲＢ遊技状態」については、後述する。
【０１３１】
図１６に示すように、図柄組合せテーブルには、遊技者に付与される利益（例えば、メダルの払出、ボーナス遊技状態の作動。）に対応付けられた情報が、それぞれ関連付けて格納されている。
【０１３２】
次に、図１７を参照して、内部当籤役１格納領域について説明する。
【０１３３】
図１７は、小役及び"リプレイ"に係る内部当籤役のフラグを、データとして格納するための内部当籤役１格納領域を表す図表である。なお、表示役のフラグをデータとして格納するための表示役１格納領域も、図１７に示す内部当籤役１格納領域と同様の構造であるので、表示役１格納領域については図１７にて代用し、その説明は省略する。
【０１３４】
１バイト（８ビット）からなる内部当籤役１格納領域において、ビット０を、"リプレイ"に対応する格納領域に設定してある。ビット１は、"赤ベル"に対応する格納領域であり、ビット２は、"青ベル"に対応する格納領域である。ビット３は、"赤星"に対応する格納領域であり、ビット４は、"青星"に対応する格納領域である。ビット５は、"赤特殊"に対応する格納領域であり、ビット６は、"青特殊"に対応する格納領域である。ビット７は、未使用の格納領域である。
【０１３５】
ここで、内部当籤役１格納領域においては、決定された内部当籤役データに対応するビットを「１」としている。例えば、内部当籤役１格納領域に「００００００１０」が格納されているとき（即ち、ビット１のデータが「１」のとき。）には、内部当籤役は"赤ベル"である。
【０１３６】
次に、図１８を参照して、内部当籤役２格納領域について説明する。
【０１３７】
図１８は、"ＢＢ１"及び"ＢＢ２"の内部当籤役のフラグをデータとして格納するための内部当籤役２格納領域を表す図表である。なお、表示役のフラグをデータとして格納するための表示役２格納領域も、図１８に示す内部当籤役２格納領域と同様の構造であるので、表示役格２納領域については図１８にて代用し、その説明は省略する。
【０１３８】
１バイト（８ビット）からなる内部当籤役２格納領域において、ビット０を、"ＢＢ１"に対応する格納領域に設定してある。ビット１は、"ＢＢ２"に対応する格納領域である。ビット２〜ビット７は、未使用の格納領域である。
【０１３９】
ここで、内部当籤役１格納領域と同様に、内部当籤役２格納領域においては、決定された内部当籤役データに対応するビットを「１」としている。例えば、内部当籤役２格納領域に「００００００１０」が格納されているとき（即ち、ビット１のデータが「１」のとき。）には、内部当籤役は"ＢＢ２"である。
【０１４０】
次に、回胴式遊技機１の主制御回路５５による制御処理を、図１９に示すメインフローチャートに基づいて説明する。このフローチャートは、ＲＯＭ３２に記憶された制御プログラムにより実行される処理手順を示すものであり、ＣＰＵ３１によって実施される。
【０１４１】
図１９に示すステップＳ１においてＣＰＵ３１は、遊技開始時の初期化処理を行う。具体的には、ＲＡＭ３３に記憶されている記憶内容の初期化、通信データの初期化などを行う。
【０１４２】
次いで、ステップＳ２において、単位遊技終了時用の初期化処理、即ち、単位遊技終了時のＲＡＭ３３の所定の記憶領域の情報を消去する。具体的には、前回の単位遊技に使用されたＲＡＭ３３の書き込み可能エリアにおけるデータの消去、ＲＡＭ３３の書き込みエリアに対して次の単位遊技に必要なパラメータの書き込み、次の単位遊技におけるシーケンスプログラムの開始アドレスの指定などを行う。
【０１４３】
ステップＳ３において、ＣＰＵ３１（特別遊技作動手段）は、ボーナス作動監視処理を行う。ここでは、例えばＢＢ１作動中フラグ又はＢＢ２作動中フラグの何れかがセットされているときにはＲＢ作動時処理を実行する。すなわち、遊技状態が「ＢＢ１遊技状態」又は「ＢＢ２遊技状態」に入るとすぐに「ＲＢ遊技状態」となり、「ＢＢ１遊技状態」又は「ＢＢ２遊技状態」が終了するまで「ＲＢ遊技状態」が継続されることになる。このボーナス作動監視処理の詳細については、後段にて図２０を用いて説明する。
【０１４４】
ステップＳ４では、新たにメダルが投入されたことによる投入枚数カウンタ又はクレジットカウンタの更新処理、投入枚数カウンタの値に応じた有効ライン８の設定処理、ＭＡＸＢＥＴスイッチ１３の押下操作のチェック処理、単位遊技を行うためのメダルが投入されていることを条件としてスタートレバー６の操作をチェックする処理等を行う。このメダル受付・スタートチェック処理の詳細については、後段にて図２１を用いて説明する。
【０１４５】
ステップＳ５において、ＣＰＵ３１は、内部抽籤処理に使用する乱数値の抽出処理を行う。この乱数値の抽出処理では、サンプリング回路３７を介して乱数発生器３６で発生している「０〜６５５３５」の範囲の中の乱数値から１つの乱数値を抽出し、抽出した乱数値をＲＡＭ３３の乱数値格納領域に記憶する。
【０１４６】
次のステップＳ７では、ステップＳ３にて決定した遊技状態に応じた内部抽籤テーブル及びステップＳ５で抽出した乱数値に基づいて、内部抽籤処理を行う。
【０１４７】
内部抽籤処理では、図７に示す内部抽籤テーブル決定テーブルを参照し、上記ボーナス作動時監視処理にて決定した内部抽籤テーブルに基づいて、内部抽籤処理を実行する。例えば、遊技状態が「一般遊技状態」である場合、内部抽籤テーブル決定テーブルを参照して抽籤回数として「６」を決定する（図７参照。）とともに、内部抽籤テーブルとして図８に示す一般遊技状態用内部抽籤テーブルを取得する。また、遊技状態が「ＲＢ遊技状態」である場合には、抽籤回数として「１」を決定する（図７参照。）とともに、内部抽籤テーブルとして図９に示すＲＢ遊技状態用内部抽籤テーブルを参照する。
【０１４８】
現在の遊技状態が「一般遊技状態」である場合には、上記乱数値抽出処理で取得した乱数値（ＲＡＭ３３の乱数値格納領域に記憶された乱数値。）から図８を参照して取得した抽籤値を減算してゆき、小役・リプレイ用データポインタ及びボーナス用データポインタを取得する。そして、図１４に示す小役・リプレイ用内部当籤役決定テーブル、及び図１５に示すボーナス用内部当籤役決定テーブルを参照して当たり要求フラグのデータを取得し、図１７に示す内部当籤役１格納領域及び図１８に示す内部当籤役２格納領域に格納し、小役、"リプレイ"、"ＢＢ１"及び"ＢＢ２"を含む１乃至複数の内部当籤役を決定する。
【０１４９】
次のステップＳ８にてＣＰＵ３１は、リールの停止制御処理に係る停止テーブル群決定テーブルを参照して、現在の遊技状態及び内部当籤役とに基づいて、初期設定する停止テーブル群を決定しておく処理を行う。
【０１５０】
次のステップＳ９においてＣＰＵ３１は、副制御回路５６に対して、図１７に示す内部当籤役１格納領域、及び図１８に示す内部当籤役２格納領域に格納されている内部当籤役データを含む「スタートコマンド」を送信する。
【０１５１】
ステップＳ１０では、前回の単位遊技が開始してから所定時間（例えば４．１秒。）が経過しているか否かの判断を行う。所定時間が経過しているときには、ステップＳ１２に移り、全リールの回転開始を要求する処理を行う。一方、未だ所定時間が経過していないときには、ステップＳ１１に移り、待ち時間消化処理を行う。
【０１５２】
ステップＳ１１における待ち時間消化処理では、前回の単位遊技が開始してから所定時間が経過するまでの間、以降の処理を実行せずに、単位遊技開始までの待ち時間が消化されるのを待つ処理（ウェイト）を行う。具体的には、前回の単位遊技が開始してから４．１秒の時間が経過するまでの間、遊技者が単位遊技の開始を指示しても、同操作による遊技の開始を延期する。
【０１５３】
次のステップＳ１２では、先ず単位遊技監視用タイマのセット処理を行う。単位遊技間の監視用タイマは、上述したように前回の単位遊技が開始されてから、次の単位遊技を開始するまでの待ち時間を確保するためのタイマである。
【０１５４】
更に、ステップＳ１２にてＣＰＵ３１は、モータ駆動回路３９に対して、全リール３の回転を開始するコマンドを出力し、モータ駆動回路３９は、左リール３Ｌ、中リール３Ｃ、及び右リール３Ｒを回転させる。そして、各リール３の回転が定速になるまで待ち、左停止ボタン７Ｌ、中停止ボタン７Ｃ、及び右停止ボタン７Ｒを有効化する処理を行う。
【０１５５】
ステップＳ１３にて、ＣＰＵ３１は、リール停止制御処理を行う。具体的には、左停止ボタン７Ｌ、中停止ボタン７Ｃ、又は右停止ボタン７Ｒの何れかが押下操作された場合、リール停止信号回路４６からの出力に基づいて、押下操作された停止ボタンに対応する左リール３Ｌ、中リール３Ｃ、又は右リール３Ｒを停止させる。このとき、ＣＰＵ３１から副制御回路５６には「リール停止コマンド」を出力する。この「リール停止コマンド」には、停止させるリールの識別情報などが含まれている。リール停止制御処理の詳細については、後段にて図２４を用いて説明する。
【０１５６】
ステップＳ１４では、全ての停止ボタン（左停止ボタン７Ｌ、中停止ボタン７Ｃ、及び右停止ボタン７Ｒ）が操作されて、対応する全てのリール３（左リール３Ｌ、中リール３Ｃ、及び右リール３Ｒ）が停止したとき、図１６に示す図柄組合せテーブルに基づいて、表示役と払出枚数とを決定する。この処理では、有効ライン８上に停止した図柄の停止態様に基づいて、表示役を識別し、図１６に示す表示役データを表示役１格納領域及び表示役２格納領域にセットする。具体的には、有効ライン８に沿って並ぶ図柄の位置を表すコードナンバー、図柄組合せテーブル（図１６参照。）、及び投入枚数に基づいて、表示役と払出枚数とを決定する。
【０１５７】
次のステップＳ１５にてＣＰＵ３１は、「高確率再遊技状態」において"内部当籤した"赤特殊"又は"青特殊"の落ち役を外すことができなかった場合に、「高確率再遊技状態」を終了させるための表示役等決定時処理を実行する。この表示役等決定時処理の詳細については、後段にて図２６を用いて説明する。
【０１５８】
ステップＳ１６にてＣＰＵ３１は、「第３停止操作」を行った停止ボタンの押下操作が解除されたことを条件に、副制御回路５６に対して「表示役コマンド」を送信する。「表示役コマンド」には、表示役を特定する表示役データ、メダルの払出枚数に関する情報等が含まれる。
【０１５９】
次のステップＳ１７では、ステップＳ１４で設定した払出枚数に基づいて、メダルの払出処理を行う。このメダル払出処理では、Ｃ／Ｐスイッチ１４によってクレジットモードが選択されているときには、払出枚数の情報に基づいて、ＲＡＭ３３にセットされたクレジットカウンタの値を更新する。この更新された情報を副制御回路５６へ送信することにより、クレジット表示部１９に表示されるクレジットカウンタの値が更新される。
【０１６０】
また、Ｃ／Ｐスイッチ１４によって払出モードが選択されているとき、又はクレジットカウンタが最大値（例えば５０枚）のときには、払出枚数の情報に基づいて、ホッパー駆動回路４２によりホッパー４３を駆動制御してメダルをメダル受皿１７（図１参照。）に払出す。
【０１６１】
メダルの払出が行われると、ＣＰＵ３１は、メダルの払出枚数を更新する。この後、ＣＰＵ３１は、副制御回路５６へ「払出終了コマンド」を送信する。この「払出終了コマンド」には、メダルの払出が完了したことを示す情報が含まれている。
【０１６２】
ステップＳ１８にてＣＰＵ３１は、上記払出枚数に基づいて、ボーナス終了枚数カウンタの値を更新する。ここでは、ボーナス終了枚数カウンタの値が「１」以上の値であるときには、メダルの払出枚数に応じてボーナス終了枚数カウンタの値を減算する。なお、ボーナス終了枚数カウンタの下限値は「０」とし、負の値を取らないものとする。
【０１６３】
ステップＳ１９にてＣＰＵ３１は、ＲＡＭ３３における所定の記憶領域を参照して、図１２に示すＢＢ１作動中フラグ又はＢＢ２作動中フラグの何れかが「オン」状態であるか否かの確認を行う。ＢＢ１作動中フラグ又はＢＢ２作動中フラグの何れかが「オン」の状態である場合には、ステップＳ２０に移行して、ボーナス終了チェック処理を実行する。
【０１６４】
また、ステップＳ１９においてＢＢ１作動中フラグ及びＢＢ２作動中フラグの双方が「オフ」の状態であった場合、若しくは、ステップＳ２０におけるボーナス終了チェック処理が終了した場合には、処理をステップＳ２１に移し、ＲＴゲーム数カウンタ更新処理を行う。ボーナス終了チェック処理については、後段にて図２７を用いて説明し、ＲＴゲーム数カウンタ更新処理については、後段にて図２８を用いて説明する。
【０１６５】
ステップＳ２１にてＲＴゲーム数カウンタ更新処理が終了すると、次のステップＳ２２に進み、ボーナス作動チェック処理を行う。ボーナス作動チェック処理については、後段にて図２９を用いて説明する。ステップＳ２２において、ボーナス作動チェック処理が終了したら、ステップＳ２に戻り、再び以降の処理を実行する。
【０１６６】
次に、図２０に示すフローチャートを用いて、ボーナス作動監視処理について説明する。図２０は、図１９のステップＳ３で示した主制御回路５５のボーナス作動監視処理を説明するものである。
【０１６７】
ステップＳ３１にてＣＰＵ３１は、図１２に示す作動中フラグ格納領域を参照して、ＢＢ１作動中フラグ又はＢＢ２作動中フラグの何れかが「オン」状態であるか否かの判断を行う。ＢＢ１作動中フラグ又はＢＢ２作動中フラグの何れも「オン」状態でない場合には、ボーナス作動監視処理を終了させる。
【０１６８】
他方、ＢＢ１作動中フラグ又はＢＢ２作動中フラグの何れかが「オン」状態であるときには、ステップＳ３２に進み、ＲＢ作動中フラグが「オン」状態であるか否かを確認する。ＲＢ作動中フラグが「オン」状態であれば、ボーナス作動監視処理を終了する。
【０１６９】
他方、ＲＢ作動中フラグが「オン」状態でない場合（即ち、ＲＢ作動中フラグが「オフ」状態の場合。）には、次のステップＳ３３に移行して、ボーナス作動時テーブルに基づいたＲＢ作動時処理を行う。具体的には、図１２に示すＲＢ作動中フラグを「オン」状態として設定し、遊技可能回数カウンタに「８」を設定し、入賞可能回数カウンタに「８」を設定する（図１１参照。）。
【０１７０】
次に、図２１に示すフローチャートを用いて、メダル受付・スタートチェック処理について説明する。図２１は、図１９のステップＳ４で示した主制御回路５５におけるメダル受付・スタートチェック処理を説明するものである。
【０１７１】
ステップＳ４２において、ＣＰＵ３１は、自動投入カウンタの値をＲＡＭ３３から読み出して「０」であるか否かの判断を行う。自動投入カウンタの値が「０」である場合、すなわち表示役として"リプレイ"が成立しなかった場合には、ステップＳ４４に分岐し、メダルの通過を許可するフラグをセットしてステップＳ５０に進む。このステップＳ４４にてメダルの通過を許可するフラグがセットされた場合には、後にメダルを投入することが可能となり、投入されたメダルは投入メダルセンサ５０により検出される。その投入されたメダルは、ホッパー４３に貯留される。
【０１７２】
他方、ステップＳ４２の判断において、自動投入カウンタの値が「０」でないと判断した場合、すなわち表示役として"リプレイ"が成立した場合には、次のステップＳ４６に進み、自動投入カウンタの値を、投入枚数カウンタに複写して、クレジットされているメダルを引出すことなくＭＡＸＢＥＴスイッチ１３が操作された状態と同様の状態にする。そして、次のステップＳ４４にて自動投入カウンタをクリアして、次のステップＳ５０に進む。自動投入カウンタの値は、前回の遊技で用いた値をそのまま用いる。後述するように、例えば「一般遊技状態」では、「３」枚である。
【０１７３】
ステップＳ５０にてＣＰＵ３１は、投入枚数カウンタの値を最大値の「３」枚にセットする。なお、ここで説明する回胴式遊技機１は、「一般遊技状態」において３枚掛専用の機種であることを前提に説明している。
【０１７４】
次のステップＳ５２にてＣＰＵ３１は、図１２に示す作動中フラグ格納領域を参照して、ＲＢ作動中フラグが「オン」にセットされているか否かの判断を行う。そして、ＲＢ作動中フラグが「オン」にセットされている場合には、次のステップＳ５４の処理に進み、投入枚数カウンタを「ＲＢ遊技状態」における最大値の２枚に変更する処理を行う。他方、ＲＢ作動中フラグが「オン」にセットされていない場合には、次のステップＳ５６に分岐する。
【０１７５】
次のステップＳ５６では、メダル投入口１５における投入メダルセンサ５０が「オン」になったか否かを検出することにより、メダルが通過したか否かの判断を行う。メダル投入口１５における投入メダルセンサ５０が「オン」状態になっていなければ、ステップＳ６８に分岐して、ＭＡＸＢＥＴスイッチ１３のチェック処理を行う。また、投入メダルセンサ５０が「オン」状態になった場合には、次のステップＳ５８に進み、投入枚数カウンタの値が最大値であるか否かの判断を行う。
【０１７６】
ステップＳ５８にてＣＰＵ３１は、投入枚数カウンタが最大値であるか否かを判別する。なお、投入枚数カウンタの最大値は、上述のように遊技状態に対応して設けることが可能であるが、ここでは、投入枚数カウンタの最大値として「一般遊技状態」における「３」枚が設定されている例について説明する。ステップＳ５８にて、投入枚数カウンタが最大値であると判断した場合には、ＣＰＵ３１は、ステップＳ６６の処理に分岐する。ステップＳ６６にてＣＰＵ３１は、クレジットカウンタの値に「１」を加算し、続いて、ステップＳ６８の処理に進む。クレジットカウンタは、クレジットされたメダル枚数を計数するためのカウンタである。
【０１７７】
他方、投入枚数カウンタの値が最大値でない場合には、ＣＰＵ３１は、ステップＳ６０の処理に進み、投入枚数カウンタの値に「１」を加算する処理を行う。
【０１７８】
続いて、ステップＳ６２にてＣＰＵ３１は、有効ラインカウンタに「５」を格納し、全ての有効ライン８を有効にしておく。続いて、ＣＰＵ３１は、次のステップＳ６４にて「メダル投入コマンド」を副制御回路５６に送信する処理を行って、ステップＳ６８の処理に進む。この「メダル投入コマンド」を副制御回路５６が受信すると、ＢＥＴランプ９を点灯させたり、音による案内をスピーカ２１Ｌ，２１Ｒから発する演出を行う。
【０１７９】
ステップＳ６８にてＣＰＵ３１は、ＭＡＸＢＥＴスイッチ１３のチェックを行う。具体的には、ＭＡＸＢＥＴスイッチ１３からの入力があった場合（即ち、遊技者によってＭＡＸＢＥＴスイッチ１３が押下操作された場合。）には、投入枚数カウンタの値と、クレジットカウンタの値と、遊技状態に対応する開始操作が有効となる最大の投入枚数とに基づいて、投入枚数カウンタの値に加算する値を算出し、投入枚数カウンタの値を更新する。
【０１８０】
続いて、ステップＳ７０にてＣＰＵ３１は、投入枚数カウンタの値が最大値であるか否かを判別する。現在の遊技状態が「一般遊技状態」又は「高確率再遊技状態」のときは、投入枚数カウンタの最大値は「３」枚となり、「ＲＢ遊技状態」のときには、投入枚数カウンタの最大値は「２」枚となる。投入枚数カウンタの値が最大値である場合には、次のステップＳ７２の処理に進む。他方、投入枚数カウンタの値が最大値でない場合には、ＣＰＵ３１は、ステップＳ５６の処理に戻る。
【０１８１】
次のステップＳ７２にてＣＰＵ３１は、スタートスイッチ６Ｓが「オン」であるか否かを判断する。具体的には、ＣＰＵ３１は、スタートレバー６の操作に基づくスタートスイッチ６Ｓからの入力があったか否かを判別する。このとき、スタートスイッチ６Ｓからの入力があった場合には、ステップＳ７４の処理に進み、メダル投入口１５からメダルが投入されても、投入されたメダルをメダル払出口１６からメダル受皿１７に排出して（図１参照。）、メダルの受付を禁止する。ステップＳ７４の処理が終了すると、メダル受付・スタートチェック処理を終了して、元の処理ルーチンに戻る。
【０１８２】
次に、図２２に示すフローチャートを用いて内部抽籤処理について説明する。図２２は、図１９のステップＳ７における主制御回路５５の内部抽籤処理について説明するものである。
【０１８３】
ステップＳ１０２にて、ＣＰＵ３１は、図７に示す内部抽籤テーブル決定テーブルを参照して、遊技状態に応じて内部抽籤テーブルの種別と抽籤回数とを決定する処理を行う。例えば、現在の遊技状態が「一般遊技状態」又は「高確率再遊技状態」（図８参照。）である場合には、抽籤回数の最大値として「６」を代入する。また、現在の遊技状態が、「ＲＢ遊技状態」（図９参照。）である場合には、抽籤回数の最大値として「１」を代入する。そして、決定した抽籤回数の最大値をＣＰＵ３１のレジスタに抽籤回数カウンタの値としてセットする。
【０１８４】
次のステップＳ１０３にて、ＣＰＵ３１は、図１２に示す作動中フラグ格納領域を参照して、ＲＴ作動中フラグがセットされている場合には、図１０に示すＲＴ遊技状態用内部抽籤テーブルを選択する処理を行う。なお、内部抽籤テーブル変更処理の詳細については、後段にて図２３を用いて説明する。
【０１８５】
次のステップＳ１０８では、図１９のステップＳ５にて抽出した乱数値をＲＡＭ３３の乱数値格納領域から取得して、乱数データとしてセットする。
【０１８６】
次のステップＳ１１０では、図７に示す抽籤回数又はステップＳ１１６にて変更した抽籤回数を当籤番号としてセットする。そして、現在の当籤番号に対応した抽籤値を取得する。
【０１８７】
次のステップＳ１１２にてＣＰＵ３１は、乱数データから抽籤値を減算する処理を行い、減算した結果を新たな乱数データとしてセットする処理を行う。
【０１８８】
次のステップＳ１１４にてＣＰＵ３１は、乱数データについて桁借りが行われたか否かの判断を行う。乱数データについて桁借りが行われた場合（すなわち、負の値になった場合。）には、ステップＳ１２２の処理に分岐して、図８又は図９を参照して、小役・リプレイ用データポインタ及びボーナス用データポインタをセットする。他方、桁借りが行われなかった場合には、次のステップＳ１１６の処理に進み、次の抽籤を行うための準備を行う。
【０１８９】
ステップＳ１１６にてＣＰＵ３１は、現在設定されている抽籤回数から「１」を減算する処理を行う。そして、次のステップＳ１１８では、抽籤回数から「１」を減算した結果「０」になったか否かの判断を行う。抽籤回数が「０」でない場合には、再度抽籤処理を行うべく、ステップＳ１１０に戻る。他方、抽籤回数が「０」の場合には、次のステップＳ１２０に進み、小役・リプレイ用データポインタ及びボーナス用データポインタとして"ハズレ"を意味する「０」をセットする。そして、ステップＳ１２４の処理に進む。
【０１９０】
ステップＳ１２４にてＣＰＵ３１は、図１４に示す小役・リプレイ用内部当籤役決定テーブルを参照して、ステップＳ１２０又はステップＳ１２２にてセットした小役・リプレイ用データポインタに基づいて、当たり要求フラグを取得する処理を行う。そして、次のステップＳ１２６にてＣＰＵ３１は、取得した当たり要求フラグを内部当籤役１格納領域に格納する処理を行う。
【０１９１】
次のステップＳ１２８にてＣＰＵ３１は、図１３に示す持越役格納領域を参照して、持越役格納領域の何れかのビットが「０」であるか否かの判断を行う。もし、持越役格納領域の何れかのビットが「０」でない場合（すなわち既に「ＢＢ内部当籤状態」にあるとき。）には、ステップＳ１３４の処理に分岐する。
【０１９２】
他方、ステップＳ１２８にて、持越役格納領域のビット０及びビット１が「０」であった場合には、ステップＳ１３０の処理に進み、図１５に示すボーナス用内部当籤役決定テーブルを参照して、ボーナス用データポインタに基づいてボーナス用の当たり要求フラグを取得する。このボーナス用の当たり要求フラグのデータは、図１８に示す内部当籤役２格納領域に格納する。このように、ボーナス用の当たり要求フラグは、小役・リプレイ用の当たり要求フラグを格納する内部当籤役１格納領域（図１７参照。）とは別の格納領域を割り当てて格納している。
【０１９３】
次のステップＳ１３２にてＣＰＵ３１は、取得したボーナス用の当たり要求フラグを、図１３に示す持越役格納領域に格納する処理を行う。
【０１９４】
次のステップＳ１３４にてＣＰＵ３１は、図１３に示す持越役格納領域に格納されているボーナス用の当たり要求フラグを取得し、内部当籤役２格納領域と持越役格納領域の論理和を演算して、図１８に示す内部当籤役２格納領域に格納する処理を行う。この内部当籤役１格納領域及び内部当籤役２格納領域に格納されているデータが「１」となっている役が、現在の内部当籤役であり、小役や"リプレイ"などのフラグと併せて、「持越役」のフラグを格納することができる。なお、小役や"リプレイ"は次回の遊技に持越されることはないが、「持越役」については、前回の「持越役」が次回以降の遊技に持越されることになる。すなわち、「持越役」が停止表示されるまで、「持越役」のフラグが内部当籤役２格納領域に繰り返しセットされることとなる。
【０１９５】
次に、図２３を参照して、「高確率再遊技状態」において参照する内部抽籤テーブルを決定する処理について説明する。図２３は、図２２のステップＳ１０３における主制御回路５５の内部抽籤テーブル変更処理の詳細を示すものである。
【０１９６】
先ず、ステップＳ１５２にてＣＰＵ３１（高確率再遊技作動手段）は、図１２に示す作動中フラグ格納領域のビット３を参照して、ＲＴ作動中フラグがオンであるか否か（すなわち、ビット３に格納されているデータが「１」であり、現在の遊技状態が「高確率再遊技状態」に設定されているか否か。）の判断を行っている。ＲＴ作動中フラグがオンでない場合には、当該内部抽籤テーブル変更処理のサブルーチンを終了して、元の処理ルーチンに戻る。他方、ＲＴ作動中フラグがオンであって現在の遊技状態が「高確率再遊技状態」に設定されている場合には、次のステップＳ１５４に進む。
【０１９７】
ステップＳ１５４にて、ＣＰＵ３１は、現在の遊技状態が「高確率再遊技状態」であることを受けて、内部抽籤処理にて使用する内部抽籤テーブルとして、図１０に示すＲＴ遊技状態用内部抽籤テーブルを選択する。ステップＳ１５４の処理が終了すると、当該内部抽籤テーブル変更処理のサブルーチンを終了して、元の処理ルーチンに戻る。
【０１９８】
次に、図２４を参照して、内部当籤役と遊技者による停止操作のタイミングとに基づいて、左リール３Ｌ、中リール３Ｃ、及び右リール３Ｒの回転を停止させるためのリール停止制御処理について説明する。図２４は、図１９のステップＳ１３における主制御回路５５のリール停止制御処理の詳細を示すものである。
【０１９９】
先ず、ステップＳ２２２にてＣＰＵ３１は、左停止ボタン７Ｌ、中停止ボタン７Ｃ、及び右停止ボタン７Ｒのうち、有効な停止ボタンがオンになったか否か、すなわち回転している左リール３Ｌ、中リール３Ｃ、又は右リール３Ｒに対応する左停止ボタン７Ｌ、中停止ボタン７Ｃ、又は右停止ボタン７Ｒが押下操作されたか否かを判別する。このとき、有効な停止ボタンが押下操作されたと判断した場合には、次のステップＳ２２４の処理を実行する。他方、有効な停止ボタンが押下操作されていない場合には、再び、ステップＳ２２２の判断に戻り、左停止ボタン７Ｌ、中停止ボタン７Ｃ、又は右停止ボタン７Ｒが押下操作されるのを待つ処理を行う。
【０２００】
ステップＳ２２４にてＣＰＵ３１は、押下操作された停止ボタンの「有効停止ボタンフラグ」を「オフ」に更新することで、押下操作された停止ボタンを無効化する処理を行う。これにより、一旦押下操作が行われた左停止ボタン７Ｌ、中停止ボタン７Ｃ、又は右停止ボタン７Ｒに対しては、再度の押下操作が無効化される。なお、「有効停止ボタンフラグ」とは、左停止ボタン７Ｌ、中停止ボタン７Ｃ、又は右停止ボタン７Ｒの押下操作を許可するか否かを識別するための情報であり、左停止ボタン７Ｌ、中停止ボタン７Ｃ、及び右停止ボタン７Ｒのそれぞれに対応して３つ設けられる。
【０２０１】
次のステップＳ２２６にてＣＰＵ３１（図柄停止位置仮決定手段、図柄捜査手段）は、決定されている停止テーブル群から、内部当籤役、押下操作された停止ボタン、押下操作された際の図柄位置等に基づいて停止テーブルを絞り込んで選択し、図柄カウンタに応じた停止データを、図柄の滑りコマ数の初期値として仮決定し、格納する処理を行う。
【０２０２】
次のステップＳ２２８にてＣＰＵ３１は、図柄の滑りコマ数のチェック回数として、「５」回の初期値をセットする。図柄の滑りコマ数として、「０」〜「４」の５種類の引込める範囲が存在するからである。
【０２０３】
例えば、停止表示させる表示役の優先順位が、"リプレイ"＞"ＢＢ"＞小役、の順番に定められており、"リプレイ"の優先順位が最高位に設定されているとする。内部当籤役１格納領域（図１７参照。）及び内部当籤役２格納領域（図１８参照。）に、"リプレイ"と、"ＢＢ１"と、"ＢＢ２"との３種類のフラグがセットされた場合には、優先順位の高い"リプレイ"の図柄組合せが揃う停止テーブルを決定して、停止させる図柄位置を検索することになる。そして、"ＢＢ１"と、"ＢＢ２"と小役の３種類のフラグがセットされた場合には、優先順位の高い"ＢＢ１"又は"ＢＢ２"の図柄組合せが揃う停止テーブルを決定して、停止させる図柄位置を検索することになる。この場合には、「持越役」が存在しているために、内部当籤した小役の図柄組合せを停止表示させることができない可能性がある。そこで、図２５に示すような停止テーブル群を選択するための停止テーブル群決定テーブルを用い、「持越役」が存在する場合と「持越役」が存在しない場合とで、内部当籤役に対応した図柄の停止態様を変更することができる。
【０２０４】
なお、"ＢＢ１"及び"ＢＢ２"のフラグのみがセットされている場合には、停止ボタン７の押下タイミングに応じて"ＢＢ１"又は"ＢＢ２"の何れかの図柄組合せを停止表示させることができる。すなわち、本発明においては、図３及び図４の図柄配列に示されるように、遊技者が所定のタイミングで停止ボタン７を押下することによって、"ＢＢ１"の図柄組合せである"赤７−赤７−赤７"を停止表示させることもできるし、"ＢＢ２"の図柄組合せである"青７−青７−青７"を停止表示させることもできる。なお、最大滑りコマ数が「４」に設定されている場合であって、図３及び図４に示す図柄配列を用いる場合には、どのタイミングで、どの停止ボタン７の押下操作しても、"リプレイ"の表示役は必ず成立し、取りこぼすことはない。
【０２０５】
また、他の実施例として、停止表示させる表示役の優先順位を、"リプレイ"＞小役＞"ＢＢ"、のように、小役と"ＢＢ"の優先順位を入れ換えることもできる。小役の優先順位が"ＢＢ"よりも高く設定されている場合には、例えば「高確率再遊技状態」において「持越役」が存在しており、更に小役が内部当籤した場合であっても、小役の図柄組合せを停止表示させて、メダルの払出を受けることができるようになる。しかし、このように、小役の優先順位が"ＢＢ"よりも高く設定されている場合には"ＢＢ"終了後の「高確率再遊技状態」において"赤特殊"又は"青特殊"の表示役が成立することにより、"ＢＢ"の図柄組合せが停止表示されることなく「高確率再遊技状態」が終了してしまう可能性がある。そこで、本発明では、後段にて説明する図２６のステップＳ２５６に示す判断を行って、「高確率再遊技状態」において「持越役」が存在している場合には、「高確率再遊技状態」を終了させないようにしてある。
【０２０６】
図１６に示すように、「高確率再遊技状態」を終了させてしまう"赤特殊"の図柄組合せは"赤７−星−ベル"である。他方、"青特殊"の図柄組合せは、"青７−星−ベル"である。この両者を構成する図柄のうち、異なる図柄は左リール３Ｌの"赤７"と"青７"である。本発明の実施例では、図３及び図４に示すように、左リール３Ｌの"赤７"と"青７"との間には、６コマの”星”や”リプレイ”の図柄しか配置されていないために、最大の滑りコマ数が４コマに設定されている場合には、有効ライン８が通る３箇所の停止位置に、"赤７"又は"青７"の何れか一方を必ず引き込むことができるので、双方を同時に外すことができないように、図柄の配列が設定されている。したがって、遊技者は、「高確率再遊技状態」中に、落ち役として設定されている"赤特殊"及び"青特殊"の双方を、同時に外すことはできない。なお、左リール３Ｌの"赤７"と"青７"との間には、６コマの”星”や”リプレイ”の図柄が配置されているために、"赤７"及び"青７"が同時に３箇所の有効ライン８上に停止表示されることはない。したがって、"赤７"又は"青７"の何れか一方を外すことは容易であるので、予め内部当籤役が"赤特殊"であるか、又は"青特殊"であるかが報知されている場合には、その単位遊技で「高確率再遊技状態」が終了してしまうことを阻止することができる。
【０２０７】
次のステップＳ２３２にてＣＰＵ３１は、ステップＳ２２６にて格納した停止データ（図柄の滑りコマ数の初期値。）とステップＳ２３０にて検索した図柄位置とに基づいて実際に停止制御を行う際の滑りコマ数を決定する。なお、優先して停止表示させる図柄が存在しなかった場合には、ステップＳ２２６にて仮決定した停止データを、実際に停止制御を行う際の滑りコマ数として決定する。
【０２０８】
次のステップＳ２３４にてＣＰＵ３１は、停止制御位置待ちへ移行する処理を行い、リールを停止させる。そして、次のステップＳ２３６にて、副制御回路５６に対して「リール停止コマンド」を送信する。
【０２０９】
次のステップＳ２３８にてＣＰＵ３１は、押下操作が有効な停止ボタンがあるか否かの判断を行う。具体的には、３つの「有効停止ボタンフラグ」のうち何れかが「オン」であるか否かを判別する。このとき、３つの「有効停止ボタンフラグ」のうち何れかが「オン」である場合にはステップＳ２２２に分岐し、再度リール停止制御処理を行う。
【０２１０】
他方、３つの「有効停止ボタンフラグ」の全てが「オフ」である場合（「第３停止操作」が終了した状態であり、押下操作が有効な停止ボタンが無い場合。）には、リール停止制御処理のサブルーチンを終了して、元の処理ルーチンに戻る。
【０２１１】
次に、図２６に示すフローチャートを用いて、表示役等決定時処理について説明する。図２６は、図１９のステップＳ１５における主制御回路５５の表示役等決定時処理の詳細を示すものである。
【０２１２】
ステップＳ２５２にてＣＰＵ３１は、図１２に示す作動中フラグ格納領域を参照して、ＲＴ作動中フラグが「オン」であるか否かの判断を行う。もし、ＲＴ作動中フラグが「オン」でない場合には、ＲＴ作動中フラグに関する設定処理を行わずに当該表示役等決定時処理を終了して、元の処理ルーチンに戻る。他方、ＲＴ作動中フラグが「オン」である場合には、次ステップＳ２５４の判断に進む。
【０２１３】
ステップＳ２５４にてＣＰＵ３１は、表示役１格納領域（図１７参照。）を参照して、成立した表示役が"赤特殊"又は"青特殊"であるか否かの判断を行う。もし、成立した表示役が"赤特殊"又は"青特殊"でない場合には、「高確率再遊技状態」を更に継続させるために、ＲＴ作動中フラグに関する設定処理を行わずに当該表示役等決定時処理を終了して、元の処理ルーチンに戻る。他方、成立した表示役が"赤特殊"又は"青特殊"である場合には、次ステップＳ２５６の判断に進む。
【０２１４】
ステップＳ２５６にてＣＰＵ３１は、図１３に示す持越役格納領域を参照して、持越役格納領域のデータが「０」であるか否か（すなわち、持越役が存在しているか否か。）の判断を行う。もし、持越役格納領域のデータが「０」でなく、「持越役」か存在している場合には、「高確率再遊技状態」を更に継続させるために、ＲＴ作動中フラグに関する設定処理を行わずに当該表示役等決定時処理を終了して、元の処理ルーチンに戻る。他方、「持越役」が存在しない場合には、次ステップＳ２５８の処理に進む。
【０２１５】
次のステップＳ２５８にてＣＰＵ３１は、今回、遊技者の意図に反して"赤特殊"又は"青特殊"の図柄組合せが停止表示されたことを受けて、現在作動中の「高確率再遊技状態」を終了させるべく、図１２の作動中フラグ格納領域に格納されているＲＴ作動中フラグを「オフ」にする処理を行う。そして、当該表示役等決定時処理を終了して、元の処理ルーチンに戻る。
【０２１６】
次に、図２７に示すフローチャートを用いて、ボーナス終了チェック処理について説明する。図２７は、図１９のステップＳ２０における主制御回路５５のボーナス終了チェック処理の詳細を示すものである。
【０２１７】
ステップＳ３２２にてＣＰＵ３１は、ボーナス終了枚数カウンタが「０」になっているか否かの判定を行う。更新されたボーナス終了枚数カウンタの値が「０」であればステップＳ３２４に進み、ＣＰＵ３１は、「特別遊技状態」終了させるべく、ＲＢ作動中フラグ及び、ＢＢ作１動中フラグ又はＢＢ２作動中フラグを「オフ」にセットし、「特別遊技状態」及び「ＲＢ遊技状態」で使用していた入賞可能回数カウンタ及び遊技可能回数カウンタの値をクリアする等のＢＢ終了時処理を行う。そして、次のステップＳ３２６にて副制御回路５６に対して「ボーナス終了時コマンド」を送信して、ボーナス終了チェック処理を終了する。なお、この「ボーナス終了時コマンド」を副制御回路５６が受信すると、副制御回路５６は「特別遊技状態」が終了したことを遊技者に通知する演出を行う。ステップＳ３２６にてボーナス終了時コマンドの送信処理が終了すると、次のステップＳ３３６の処理に進む。
【０２１８】
他方、ステップＳ３２２にて、ボーナス終了枚数カウンタの値が「０」でないと判断した場合にはステップＳ３２８に分岐し、入賞可能回数カウンタ及び遊技可能回数カウンタの値から「１」を減算する処理を行う。なお、図１１に示したボーナス作動時テーブルにおいて、遊技可能回数カウンタと入賞可能回数カウンタの初期値が異なる場合（すなわち、遊技可能回数カウンタの初期値が「１２」である場合のように、「ＲＢ遊技状態」において"ハズレ"が存在する場合。）には、入賞可能回数カウンタの値が「０」であるか否かの判断を行って、入賞可能回数カウンタの値が「０」である場合にはＲＢ終了時処理を実行する。他方、入賞可能回数カウンタの値が「０」でない場合には、遊技可能回数カウンタの値から「１」を減算する処理を行った後に、遊技可能回数カウンタの値が「０」であるか否かの判断を行う。そして、当該遊技可能回数カウンタの値が「０」である場合には、ＲＢ終了時処理を実行した後に、当該ボーナス終了チェック処理を終了して元の処理ルーチンに戻る。他方、遊技可能回数カウンタの値が「０」でない場合には、「ＲＢ遊技状態」を継続すべく、ＲＢ終了時処理を実行せずに当該ボーナス終了チェック処理を終了して元の処理ルーチンに戻る。
【０２１９】
次のステップＳ３３０では、入賞可能回数カウンタ及び遊技可能回数カウンタの値が「０」であるか否かの判定を行い、入賞可能回数カウンタ及び遊技可能回数カウンタの値が「０」のときには、「ＲＢ遊技状態」を終了させるべくステップＳ３３２に進み、ＲＢ終了時処理を行う。ステップＳ３３２のＲＢ終了時処理が終了すると、当該ボーナス終了チェック処理を終了して元の処理ルーチンに戻る。
【０２２０】
他方、ステップＳ３３０の判断にて、入賞可能回数カウンタ及び遊技可能回数カウンタの値が「０」でないときには、更に「ＲＢ遊技状態」を継続させるために当該ボーナス終了チェック処理を終了して、元の処理ルーチンに戻る。
【０２２１】
他方、ステップＳ３２６にてボーナス終了時コマンドの送信が終了すると、ＣＰＵ３１が実行する処理はステップＳ３３６に進み、図１２に示すＲＴ作動中フラグをオンに設定する（すなわち、図１２に示す作動中フラグ格納領域のビット３を「１」に設定する。）とともに、ＲＴゲーム数カウンタに「高確率再遊技状態」の最大継続単位遊技数ＮＳｍａｘ＝２０５の値をセットする。ＮＳｍａｘは、"ＢＢ１"の終了後に作動する初回の「高確率再遊技状態」における単位遊技数ＮＰＳ１、"ＢＢ１"の終了後に作動する２回目以降の「高確率再遊技状態」における単位遊技数ＮＳ１、"ＢＢ２"の終了後に作動する初回の「高確率再遊技状態」における単位遊技数ＮＰＳ２、及び、"ＢＢ２"の終了後に作動する２回目以降の「高確率再遊技状態」における単位遊技数ＮＳ２、のうちの最大値である。なお、「特別遊技状態」の終了後に作動する「高確率再遊技状態」において、再度"ＢＢ"が内部当籤するであろう単位遊技数Ｎは、一般に少数点以下の値を含む数値で算出されるので、本実施例では単位遊技数Ｎの小数点以下を切り捨てた値として表す。以下に、ＮＰＳｍ、及びＮＳｍ（ｍは、回胴式遊技機１において設定されている特別遊技状態の種別（ｍ＝１、２、…））の算出方法について説明する。
【０２２２】
「高確率再遊技状態」において当籤確率ＰＢの"ＢＢ"が第ｎ回目の単位遊技で内部当籤する確率をｒとすると、下記の（式６）が成立する。
【０２２３】
ｒ＝１−（１−ＰＢ）n …（式６）
但し、
ｒ：当籤確率ＰＢの"ＢＢ"が第ｎ回目の単位遊技で内部当籤する確率
ＰＢ：高確率再遊技状態の単位遊技において"ＢＢ"が内部当籤する当籤確率
ｎ：高確率再遊技状態における単位遊技数
【０２２４】
ここで、「高確率再遊技状態」における第Ｎ回目の単位遊技において、再度"ＢＢ"が内部当籤する確率をＲとし、これらを（式６）に代入して変形すると、以下の（式７）が成立する。
【０２２５】
Ｒ＝１−（１−ＰＢ）N
（１−Ｒ）＝（１−ＰＢ）N
Ｎ＝ｌｏｇ(1-PB)（１−Ｒ）
Ｎ＝ｌｎ（１−Ｒ）／ｌｎ（１−ＰＢ） …（式７）
但し、
ＰＢ：高確率再遊技状態において"ＢＢ"が内部当籤する当籤確率
Ｒ：特別遊技状態終了後の第２回目以降の高確率再遊技状態において再度"ＢＢ"が内部当籤する確率
Ｎ：特別遊技状態終了後の第２回目以降の高確率再遊技状態において、再度"ＢＢ"がＲの確率で内部当籤する単位遊技数
ｌｎ：自然対数
【０２２６】
一般に、上記の（式７）にて算出されるＮの値は、小数点以下の数値を含む値として算出されるので、Ｎの小数点以下を切り捨てた値をそれぞれの「高確率再遊技状態」における単位遊技数ＮＰＳ１、ＮＰＳ２、…ＮＰＳｍ、及びＮＳ１、ＮＳ２、…ＮＳｍとして算出する。そして、各高確率再遊技状態における単位遊技数ＮＰＳ１、ＮＰＳ２、…ＮＰＳｍ、及びＮＳ１、ＮＳ２、…ＮＳｍのうちの最大値を、図２７に示すステップＳ３３６にてＲＴゲーム数カウンタにセットする。
【０２２７】
例えば、（式７）において、ＰＢ＝１／１２８、Ｒ１＝０．８に設定した場合には、Ｎ１＝２０５.２０２２８１９…の値を得ることができる。このＮ１について小数点以下を切り捨てると、「高確率再遊技状態」の単位遊技数ＮＳ１＝２０５回を得ることができる。また、（式７）において、ＰＢ＝１／１２８、Ｒ２＝０．８に設定した場合には、Ｎ２＝２８.４５０６５６９５…の値を得ることができる。このＮ２について小数点以下を切り捨てると、「高確率再遊技状態」の単位遊技数ＮＳ２＝２８回を得ることができる。なお、単位遊技数ＮＳ２の値は、所謂落ち役として設定されている"赤特殊"又は"青特殊"の内部当籤確率をＱとした場合に、（１／（Ｑ＋Ｑ）＝６５５３６／（９３６２＋９３６２）≒３．５）の６倍（＝２１）に１／Ｑ（"赤特殊"又は"青特殊"の何れかが表示役として成立するであろう単位遊技数＝７）を加えた値として設定してある。したがって、図１０に示す"赤特殊"及び"青特殊"の当籤確率を用いる場合には、"赤特殊"又は"青特殊"の内部当籤を報知回数Ｈ１＝６回、何らかの形で遊技者に報知することにより、平均２８回（＝ＮＳ２）の「高確率再遊技状態」を継続することが可能となる。
【０２２８】
ここで、遊技者が"ＢＢ１"の「特別遊技状態」を選択し、その「特別遊技状態」が終了した後に継続して作動する「高確率再遊技状態」において、ＮＳ１回連続して単位遊技が継続した場合を仮定し、更に「高確率再遊技状態」において連続して「特別遊技状態」が作動してゆく場合において、最終的に遊技者が取得するであろうメダルの期待値について考察する。また同様に、遊技者が"ＢＢ２"の「特別遊技状態」を選択し、その「特別遊技状態」が終了した後に継続して作動する「高確率再遊技状態」において、ＮＳ２回連続して単位遊技が継続した場合を仮定し、更に「高確率再遊技状態」において連続して「特別遊技状態」が作動してゆく場合において、遊技者が取得するであろうメダルの期待値について考察する。なお、ＮＳ１≠ＮＳ２、であるとする。
【０２２９】
"ＢＢ１"の「特別遊技状態」におけるメダルの純増数量、及び"ＢＢ２"の「特別遊技状態」におけるメダルの純増数量をそれぞれ等しい値（ＪＶ）とし、その後に作動する「高確率再遊技状態」におけるメダルの純増数量をＪＲとする。すると、「特別遊技状態」の後に作動する「高確率再遊技状態」における単位遊技数が異なる（ＮＳ１≠ＮＳ２）ので、「特別遊技状態」が連続して作動する確率も異なる。すると、遊技者が取得するであろうメダルの期待値も異なる値となってしまう。そこで本発明では、"ＢＢ１"の「特別遊技状態」が終了した後に作動する第１回目の「高確率再遊技状態」の単位遊技数をＮＰＳ１回に設定し、第２回目以降の「高確率再遊技状態」の単位遊技数をＮＳ１回に設定する。更に"ＢＢ２"の「特別遊技状態」が終了した後に作動する第１回目の「高確率再遊技状態」の単位遊技数をＮＰＳ２回に設定し、第２回目以降の「高確率再遊技状態」の単位遊技数をＮＳ２回に設定する。この条件下において、遊技者が"ＢＢ１"を選択した場合と、"ＢＢ２"を選択した場合とで、得られるであろうメダルの期待値を、以下の計算式を用いて算出する。
【０２３０】
先ず、「特別遊技状態」におけるメダルの純増数量について説明する。遊技者が"ＢＢ１"又は"ＢＢ２"の図柄組合せを停止表示させると、その後の「特別遊技状態」において、２枚掛（ＢＭ＝２）×８単位遊技で１２０枚のメダルが払出される（図１１に示すボーナス作動時テーブル参照。）ので、"ＢＢ１"又は"ＢＢ２"の「特別遊技状態」におけるメダルの純増数量ＪＶは、ＪＶ＝１２０−２×８＝１０４枚となる。
【０２３１】
なお、"ＢＢ１"及び"ＢＢ２"の「特別遊技状態」が終了した後の「高確率再遊技状態」の単位遊技におけるメダルの純増数量ＪＲは、先に示した（式５）を用いて算出することができる。
【０２３２】
１回目の"ＢＢ１"の「特別遊技状態」と、それに続く初回（Ｋ＝１回）の「高確率再遊技状態」と、２回目以降のＫ１回までの「高確率再遊技状態」を消化した場合におけるメダルの純増数量ＳＫ１は、以下の（式８）にて表すことができる。なお、ＪＲを算出するにあたっては、「高確率再遊技状態」においては、小役と"リプレイ"は取りこぼすことなく、全ての図柄組合せを停止表示させるものとする。また、"赤特殊"及び"青特殊"の小役については、必ず外すものとする。
【０２３３】
ＳＫ１＝ＪＶ＋（ＪＶ×ＲＰ１＋ＪＲ×ＮＰＳ１）＋（ＪＶ×ＲＰ１×Ｒ１＋ＪＲ×ＮＳ１）＋（ＪＶ×ＲＰ１×Ｒ１2＋ＪＲ×ＮＳ１）＋…＋（ＪＶ×ＲＰ１×Ｒ１K1＋ＪＲ×ＮＳ１）
＝ＪＶ（１＋ＲＰ１（Ｒ１K1−１）／（Ｒ１−１））＋ＪＲ（ＮＰＳ１＋ＮＳ１（Ｋ１−１）） …（式８）
但し、
Ｋ１：第１高確率再遊技状態の作動回数
ＳＫ１：１回目の第１特別遊技状態と、それに続く初回の第１高確率再遊技状態と、２回目以降の第１高確率再遊技状態をＫ１回まで消化した場合におけるメダルの純増数量（期待値）
ＪＶ：特別遊技状態におけるメダルの純増数量
ＪＲ：高確率再遊技状態の単位遊技におけるメダルの純増数量
ＮＰＳ１：第１特別遊技状態終了後の初回の第１高確率再遊技状態において、再度"ＢＢ"がＲＰ１の確率で内部当籤する単位遊技数
ＮＳ１：第１特別遊技状態終了後の第２回目以降の第１高確率再遊技状態において、再度"ＢＢ"がＲ１の確率で内部当籤する単位遊技数
ＲＰ１：第１特別遊技状態終了後に作動する初回の第１高確率再遊技状態において再度"ＢＢ"が内部当籤する確率
Ｒ１：第１特別遊技状態終了後の第２回目以降の第１高確率再遊技状態において再度"ＢＢ"が内部当籤する確率
【０２３４】
同様に、１回目の"ＢＢ２"の「特別遊技状態」と、それに続く初回（Ｋ＝１回）の「高確率再遊技状態」と、２回目以降のＫ２回までの「高確率再遊技状態」を消化した場合におけるメダルの純増数量ＳＫ２は、以下の（式９）にて表すことができる。なお、ＪＲを算出するにあたっては、「高確率再遊技状態」においては、小役と"リプレイ"は取りこぼすことなく、全ての図柄組合せを停止表示させるものとする。また、"赤特殊"及び"青特殊"の小役については、必ず外すものとする。
【０２３５】
ＳＫ２＝ＪＶ＋（ＪＶ×ＲＰ２＋ＪＲ×ＮＰＳ２）＋（ＪＶ×ＲＰ２×Ｒ２＋ＪＲ×ＮＳ２）＋（ＪＶ×ＲＰ２×Ｒ２2＋ＪＲ×ＮＳ２）＋…＋（ＪＶ×ＲＰ２×Ｒ２K2＋ＪＲ×ＮＳ２）
＝ＪＶ（１＋ＲＰ２（Ｒ２K2−１）／（Ｒ２−１））＋ＪＲ（ＮＰＳ２＋ＮＳ２（Ｋ２−１）） …（式９）
但し、
Ｋ２：第２高確率再遊技状態の作動回数
ＳＫ２：１回目の第２特別遊技状態と、それに続く初回の第２高確率再遊技状態と、２回目以降の第２高確率再遊技状態をＫ２回まで消化した場合におけるメダルの純増数量（期待値）
ＪＶ：特別遊技状態におけるメダルの純増数量
ＪＲ：高確率再遊技状態の単位遊技におけるメダルの純増数量
ＮＰＳ２：第２特別遊技状態終了後の初回の第２高確率再遊技状態において、再度"ＢＢ"がＲＰ２の確率で内部当籤する単位遊技数
ＮＳ２：第２特別遊技状態終了後の第２回目以降の第２高確率再遊技状態において、再度"ＢＢ"がＲ２の確率で内部当籤する単位遊技数
ＲＰ２：第２特別遊技状態終了後に作動する初回の第２高確率再遊技状態において再度"ＢＢ"が内部当籤する確率
Ｒ２：第２特別遊技状態終了後の第２回目以降の第２高確率再遊技状態において再度"ＢＢ"が内部当籤する確率
【０２３６】
本発明では、"ＢＢ１"、"ＢＢ２"…"ＢＢｍ"の複数の「特別遊技状態」と、その後に移行する初回の「高確率再遊技状態」と、その後に継続する「高確率再遊技状態」において、上記（式８）にて表されるＳＫ１と（式９）にて表されるＳＫ２と、一般式ＳＫｍとが略等しくなるようにした計算式を、下記の（式１０）に示す。なお、ＮＰＳ１、ＮＰＳ２、ＮＰＳｍ、ＮＳ１、ＮＳ２、及びＮＳｍの単位遊技数の値として、整数の値を採用する必要がある。したがって、上記（式７）にて算出したＮの値に対して、小数点以下の切り捨てや四捨五入、切り上げ等の処理を行う必要がある。そのため、一般にメダルの純増数量ＳＫｍの値は完全に等しくならないことになる。この状態を、遊技媒体の純増数量が略等しい状態、又は遊技媒体の期待値が略等しい状態と呼ぶ。
【０２３７】
ＳＫ１≒ＳＫ２≒…≒ＳＫｍ
≒ＪＶ１（１＋ＲＰ１（Ｒ１K1−１）／（Ｒ１−１））＋ＪＲ（ＮＰＳ１＋ＮＳ１（Ｋ１−１））
≒ＪＶ２（１＋ＲＰ２（Ｒ２K2−１）／（Ｒ２−１））＋ＪＲ（ＮＰＳ２＋ＮＳ２（Ｋ２−１））
≒ＪＶｍ（１＋ＲＰｍ（ＲｍKm−１）／（Ｒｍ−１））＋ＪＲ（ＮＰＳｍ＋ＮＳｍ（Ｋｍ−１）） …（式１０）
但し、
ｍ：設定されている特別遊技状態の種別（ｍ＝１、２、…）
ＪＲｍ：第ｍ特別遊技状態終了後の第ｍ高確率再遊技状態の単位遊技におけるメダルの純増数量
ＪＶｍ：第ｍ特別遊技状態におけるメダルの純増数量
Ｋｍ：第ｍ高確率再遊技状態の作動回数
ＮＰＳｍ：第ｍ特別遊技状態終了後の初回の第ｍ高確率再遊技状態において、再度"ＢＢ"がＲＰｍの確率で内部当籤する単位遊技数
ＮＳｍ：第ｍ特別遊技状態終了後の第２回目以降の第ｍ高確率再遊技状態において、再度"ＢＢ"がＲｍの確率で内部当籤する単位遊技数
ＲＰｍ：第ｍ特別遊技状態終了後の初回の第ｍ高確率再遊技状態において再度"ＢＢ"が内部当籤する確率
Ｒｍ：第ｍ特別遊技状態終了後の第２回目以降の第ｍ高確率再遊技状態において再度"ＢＢ"が内部当籤する確率
ＳＫｍ：１回目の特別遊技状態と、それに続く初回の第ｍ高確率再遊技状態と、２回目以降のＫｍ回の第ｍ高確率再遊技状態におけるメダルの純増数量
【０２３８】
上記の（式１０）が成立するように、ＪＲｍ、ＪＶｍ、Ｋｍ、ＮＰＳｍ、ＮＳｍ、ＲＰｍ、及びＲｍの値を決定することにより、遊技者が"ＢＢ１"、"ＢＢ２"…"ＢＢｍ"の何れの「特別遊技状態」を選択した場合であっても、最終的に取得するであろうメダルの期待値を等しくすることができる。なお、（式８）〜（式１０）に示すＲｍとＮＳｍとの間には、上記（式７）に示した関係が成立するものとする。なお、（式７）に示すＲ、及びＮと、（式８）〜（式１０）に示すＲｍとＮＳｍとの間には、Ｒ＝Ｒｍ、Ｎ≒ＮＳｍ、Ｎ≒ＮＰＳｍの関係があるものとする。この条件下で上記の（式１０）と（式７）とを併記した計算式が、上述の（式１）〜（式３）である。
【０２３９】
特に、ＲＰｍとＲｍとの間に、ＲＰｍ＝（１−Ｒｍ）の関係を持たせた場合には、上記（式１０）は下記の（式１１）にて表される。
【０２４０】
ＳＫ１≒ＳＫ２≒…≒ＳＫｍ
≒ＪＶ（１＋（１−Ｒｍ）×（ＲｍKm−１）／（Ｒｍ−１））＋ＪＲ（ＮＰＳｍ＋ＮＳｍ（Ｋｍ−１））
＝ＪＶ（２−ＲｍKm）＋ＪＲ（ＮＰＳｍ＋ＮＳｍ（Ｋｍ−１）） …（式１１）
但し、
ｍ：設定されている特別遊技状態の種別（ｍ＝１、２、…）
ＪＲ：特別遊技状態終了後の高確率再遊技状態の単位遊技におけるメダルの純増数量
ＪＶ：特別遊技状態におけるメダルの純増数量
Ｋｍ：第ｍ高確率再遊技状態の作動回数
ＮＰＳｍ：第ｍ特別遊技状態終了後の初回の第ｍ高確率再遊技状態において、再度"ＢＢ"がＲＰｍの確率で内部当籤する単位遊技数
ＮＳｍ：第ｍ特別遊技状態終了後の第２回目以降の第ｍ高確率再遊技状態において、再度"ＢＢ"がＲｍの確率で内部当籤する単位遊技数
Ｒｍ：第ｍ特別遊技状態終了後の第２回目以降の第ｍ高確率再遊技状態において再度"ＢＢ"が内部当籤する確率
ＳＫｍ：１回目の特別遊技状態と、それに続く初回の第ｍ高確率再遊技状態と、２回目以降のＫｍ回の第ｍ高確率再遊技状態におけるメダルの純増数量
上記の（式１１）が成立するように、ＪＲ、ＪＶ、Ｋｍ、ＮＰＳｍ、ＮＳｍ、Ｒｍの値を決定することにより、遊技者が"ＢＢ１"、"ＢＢ２"…"ＢＢｍ"の何れの「特別遊技状態」を選択した場合であっても、最終的に取得するであろうメダルの期待値を等しくすることができる。
【０２４１】
また、「高確率再遊技状態」におけるメダルの純増数量ＪＲ＝０とした場合には、上記（式１０）は下記の（式１２）にて表される。
【０２４２】
ＳＫ１≒ＳＫ２≒…≒ＳＫｍ
≒ＪＶ（１＋ＲＰｍ×（ＲｍKm−１）／（Ｒｍ−１）） …（式１２）
但し、
ＪＶ：特別遊技状態におけるメダルの純増数量
Ｋｍ：第ｍ高確率再遊技状態の作動回数
ＲＰｍ：第ｍ特別遊技状態終了後の初回の第ｍ高確率再遊技状態において再度"ＢＢ"が内部当籤する確率
Ｒｍ：第ｍ特別遊技状態終了後の第２回目以降の第ｍ高確率再遊技状態において再度"ＢＢ"が内部当籤する確率
ＳＫｍ：１回目の特別遊技状態と、それに続く初回の第ｍ高確率再遊技状態と、２回目以降のＫｍ回の第ｍ高確率再遊技状態におけるメダルの純増数量
【０２４３】
「高確率再遊技状態」におけるメダルの純増数量ＪＲ＝０とした場合には、上記（式１２）に示される関係が成立するように、ＲＰｍ、Ｒｍ、及びＫの値を決定することで、遊技者が何れの「特別遊技状態」を選択した場合であっても、最終的に払出されるであろうメダルの期待値を等しくすることができる。
【０２４４】
次に、図２８に示すフローチャートを用いて、ＲＴゲーム数カウンタ更新処理について説明する。図２８は、図１９のステップＳ２１における、ＲＴゲーム数カウンタ更新処理を説明するものである。
【０２４５】
ステップＳ３４２にてＣＰＵ３１は、図１２に示す作動中フラグ格納領域のビット３を参照して、ＲＴ作動中フラグがオンであるか否かの判断を行っている。もし、ＲＴ作動中フラグがオンでない場合（すなわち、現在設定されている遊技状態が「高確率再遊技状態」ではない場合。）には、当該ＲＴゲーム数カウンタ更新処理を終了して、元のルーチンに戻る。他方、ＲＴ作動中フラグがオンである場合には、次のステップＳ３４４に進む。
【０２４６】
ステップＳ３４４にてＣＰＵ３１は、ＲＴゲーム数カウンタの値から１減算する処理を行う。そして、次のステップＳ３４６の判断に進み、ＲＴゲーム数カウンタの値が「０」になっているか否かの判断を行う。もし、ＲＴゲーム数カウンタの値が「０」でない場合には、更に「高確率再遊技状態」を継続するために、ステップＳ３４８の処理を実行せずに当該ＲＴゲーム数カウンタ更新処理を終了して、元のルーチンに戻る。他方、ＲＴゲーム数カウンタの値が「０」となった場合には、次のステップＳ３４８に進む。
【０２４７】
次のステップＳ３４８にてＣＰＵ３１（高確率再遊技終了手段）は、「高確率再遊技状態」を終了させるべく図１２に示す作動中フラグ格納領域のビット３を「０」にして、ＲＴ作動中フラグをオフにセットする処理を行う。ステップＳ３４８の処理が終了したら、当該ＲＴゲーム数カウンタ更新処理を終了して、元のルーチンに戻る。
【０２４８】
次に、図２９に示すフローチャートを用いて、ボーナス作動チェック処理について説明する。図２９は、図１９のステップＳ２２における、ボーナス作動チェック処理を説明するものである。
【０２４９】
ステップＳ３０２にてＣＰＵ３１は、停止表示された図柄組合せに係る表示役が"ＢＢ１"又は"ＢＢ２"の何れかであるか否かの判定を行う。表示役が"ＢＢ１"又は"ＢＢ２"の何れでもない場合には、ステップＳ３０８の処理に分岐し、表示役が"ＢＢ１"又は"ＢＢ２"の何れかである場合には、ステップＳ３０３に進む。
【０２５０】
ステップＳ３０３にてＣＰＵ３１は、表示役が"ＢＢ１"又は"ＢＢ２"であることを受けて、図１２に示す作動中フラグ格納領域にＢＢ１作動中フラグ又はＢＢ２作動中フラグをセットする処理を行う。更に、図１１に示すように、１２０枚の払出枚数の値をボーナス終了枚数カウンタにセットする。
【０２５１】
次のステップＳ３０４にてＣＰＵ３１（高確率再遊技終了手段）は、「高確率再遊技状態」から「特別遊技状態」に移行した際に、従前の「高確率再遊技状態」を終了させるために、図１２の作動中フラグ格納領域のＲＴ作動中フラグを「オフ」にセットする処理を行う。そして、次のステップＳ３０５では、図１３に示す持越役格納領域のビット０及びビット１を「０」にクリアし、「持越状態」を解除する。
【０２５２】
次のステップＳ３０６にて、ＣＰＵ３１は、副制御回路５６に対して"ＢＢ１"又は"ＢＢ２"であることの情報を含む「ボーナス開始コマンド」を送信する。副制御回路５６がこの「ボーナス開始コマンド」を受信すると、遊技者に対して「特別遊技状態」にあることを通知する華やかな演出を行う。ステップＳ３０６の処理が終了すると、ボーナス作動チェック処理を終了する。
【０２５３】
他方、ステップＳ３０８にてＣＰＵ３１は、表示役が"リプレイ"であるか否かの判断を行う。表示役が"リプレイ"であるときには、ステップＳ３１０に進み、ＣＰＵ３１は、今回の遊技に用いた投入枚数カウンタの値を自動投入カウンタに複写する処理を行って、当該ボーナス作動チェック処理を終了し、元の処理ルーチンに戻る。他方、ステップＳ３０８の処理において、表示役が"リプレイ"でないと判断した場合には、そのまま当該ボーナス作動チェック処理を終了して元の処理ルーチンに戻る。
【０２５４】
次に、図３０に示すフローチャートを用いて定期割込処理について説明する。この定期割込処理は、例えば１．１１７３ｍｓ毎に、主制御回路５５が定期的に実行する処理である。
【０２５５】
ステップＳ３５２にてＣＰＵ３１は、従前に実行していた図１９に示す電源投入処理を割込処理により一時中断するので、内部抽籤処理（図１９のステップＳ７）等で用いていたレジスタのデータを、ＲＡＭ３３の所定領域に一旦退避させる。
【０２５６】
ステップＳ３５４にてＣＰＵ３１は、入力ポートチェック処理を行う。この入力ポートチェック処理では、メダル投入口１５からメダルが投入されたことにより、投入メダルセンサ５０がメダル投入を検知した旨、スタートレバー６の押下によって得られるスタートスイッチ６Ｓの情報、払出完了信号回路４５から得られるメダルの払出終了の情報、その他の入力信号を取得する。
【０２５７】
ステップＳ３５６では、リール３の回転の加速制御、定速制御または減速制御を行う。次のステップＳ３５８にてＣＰＵ３１は、図５に示すランプ類５８、ＬＥＤ類５７を駆動するための情報を出力する。このランプ類５８、ＬＥＤ類５７の駆動処理において、ＣＰＵ３１は、例えば貯留（クレジット）されているメダル枚数をクレジット表示部１９に表示させるコマンドや、入賞時のメダルの払出枚数などを払出枚数表示部１８に表示させるコマンド、３枚のメダルが賭けられたことを通知するＢＥＴランプ９の点灯コマンドをＲＡＭ３３の所定の記憶領域に書き込む。後にＣＰＵ３１がこれらのコマンドを副制御回路５６に送信することによって、副制御回路５６側にてクレジット表示部１９又は払出枚数表示部１８の表示処理を実行したり、ＢＥＴランプ９を点灯させたりすることもできるが、これらは遊技に関連した情報であるので、直接主制御回路５５が貯留されているメダル枚数をクレジット表示部１９に表示したり、入賞時のメダルの払出枚数を払出枚数表示部１８に表示させたり、ＢＥＴランプ９を点灯させるように構成してもよい。
【０２５８】
ステップＳ３６０にてＣＰＵ３１は、定期割込処理を開始したときに退避したレジスタのデータを、ＲＡＭ３３の所定領域からレジスタに復帰させ、元の処理ルーチンに戻る。
【０２５９】
次に、副制御回路５６の画像制御マイコン８１にて実行される処理について説明する。なお、以降の副制御回路５６にて実行される処理は、図６に示す画像制御マイコン８１が実行してもよいし、画像制御マイコン８１及び音・ランプ制御マイコン１１１とを併せる形で構成したＣＰＵを用いて実行することも可能である。
【０２６０】
先ず、画像制御マイコン８１が実行する割込処理について、図３１を用いて説明する。
【０２６１】
回胴式遊技機１の電源が投入され、画像制御マイコン８１のリセット端子にリセット信号が入力されると、画像制御マイコン８１はステップＳ５０２にて、ワークＲＡＭ８４における所定領域の初期化処理や、制御ＲＡＭ８７、シリアルポート８２等の周辺機器に対する初期化処理を行うとともに、画像制御マイコン８１に対する割込許可の設定等の処理を行う。
【０２６２】
次のステップＳ５０４にて画像制御マイコン８１は、操作部６０から入力された信号を監視する処理を行う。例えば、操作部６０を操作することにより日付に関する情報が入力された場合には、その情報を画像制御マイコン８１が読み取って、ワークＲＡＭ８４の所定の領域に記憶する。
【０２６３】
次のステップＳ５０６にて画像制御マイコン８１は、シリアルポート８２を介して主制御回路５５から取得したコマンドの入力処理を行う。コマンド入力処理の詳細については、後段にて図３２を用いて説明する。
【０２６４】
次のステップＳ５０８にて画像制御マイコン８１は、液晶表示装置５、ＬＥＤ類５７、ランプ類５８、又はスピーカ２１Ｌ，２１Ｒを介して行う演出内容を決定する処理を行う。例えば、主制御回路５５から受信したコマンドに応じて、液晶表示装置５にて表示するアニメーションデータの登録処理や、ＬＥＤ類５７、又はランプ類５８が発光する発光データ、又はスピーカ２１Ｌ，２１Ｒから発するサウンドデータの登録処理を行う。演出内容決定処理の詳細については、後段にて図３２を用いて説明する。
【０２６５】
次のステップＳ５１０にて画像制御マイコン８１は、先のステップＳ５０８にて登録したアニメーションデータを画像制御ＩＣ８６に出力する。また、先のステップＳ５０８にて登録したＬＥＤ類５７、又はランプ類５８を発光させる発光データ、又はスピーカ２１Ｌ，２１Ｒから発するサウンドに関するデータを、シリアルポート８２を介して音・ランプ制御マイコン１１１に送信する処理を行う。
【０２６６】
音・ランプ制御マイコン１１１は、画像制御マイコン８１から取得した発光データに基づき、ＬＥＤ類５７、又はランプ類５８を発光させる信号を、ＬＥＤ類５７、又はランプ類５８に対して出力する。
【０２６７】
また、音・ランプ制御マイコン１１１は、画像制御マイコン８１から取得したサウンドに関するデータに基づき、スピーカ２１Ｌ，２１Ｒから発する音を設定して音源ＩＣ１１５に出力する。音源ＩＣ１１５が音源を生成してパワーアンプ１１６に出力すると、音源の信号が増幅されてスピーカ２１Ｌ，２１Ｒから演出音が発せられる。ステップＳ５１０におけるコマンド出力処理が終了すると、画像制御マイコン８１が実行する処理はステップＳ５０４に戻る。
【０２６８】
次に、画像制御マイコン８１が実行するコマンド入力処理について、図３２を用いて説明する。図３２は、図３１のステップＳ５０６における、コマンド入力処理を説明するものである。
【０２６９】
ステップＳ５４２にて画像制御マイコン８１は、シリアルポート８２の受信バッファを参照して、主制御回路５５から受信した未処理のコマンドが存在するか否かの判断を行う。未処理のコマンドが存在する場合にはステップＳ５４４に進み、未処理のコマンドが存在しない場合には、コマンド入力処理を終了して、元の処理ルーチンに戻る。
【０２７０】
次のステップＳ５４４にて画像制御マイコン８１は、コマンドの種別を抽出し、この抽出したコマンドの種別に応じて処理を行う。例えば、「スタートコマンド」、「リール停止コマンド」、「表示役コマンド」、「払出終了コマンド」、「メダル投入コマンド」、「ボーナス開始コマンド」、「ボーナス終了時コマンド」その他のコマンドを受信した場合には、そのコマンドに応じたフラグやデータをセットする処理を行う。そして、処理を終えたコマンドを処理済みのコマンドとして設定する処理を行う。
【０２７１】
次のステップＳ５４６にて画像制御マイコン８１は、ステップＳ５４４にて処理を終えたコマンドを処理済みのコマンドとして設定する処理を行う。ステップＳ５４６における処理が終了すると、コマンド入力処理のルーチンを終了する。
【０２７２】
次に、画像制御マイコン８１が実行する演出内容決定処理について、図３３を用いて説明する。図３３は、図３１のステップＳ５０８における、演出内容決定処理を説明するものである。
【０２７３】
ステップＳ６０２にて画像制御マイコン８１は図３１のステップＳ５０６にて主制御回路５５から取得した情報に、「スタートコマンド」が含まれているか否かの判断を行う。この「スタートコマンド」は、図１９のステップＳ９にて、ＣＰＵ３１が送信したコマンドを受信したものであり、図１７及び図１８に示す内部当籤役データや、図１３に示す持越役格納領域のデータ、図１２に示す作動中フラグ等の情報が含まれる。
【０２７４】
受信したコマンドに「スタートコマンド」が含まれていると判断した場合には、ステップＳ６０４に進み、演出抽籤処理を行って演出データを決定し、複数種類の演出の中から実際に実行する演出を選び出す処理等を行って、ステップＳ６２６に進む。他方、ステップＳ６０２の処理において、主制御回路５５から取得したコマンドに「スタートコマンド」が含まれていないと判断した場合には、ステップＳ６０６に進む。なお、ステップＳ６０４に示す演出抽籤処理の詳細については、後段にて図３４を用いて説明する。
【０２７５】
次のステップＳ６０６にて画像制御マイコン８１は、図３１のステップＳ５０６にて取得した情報に、「リール停止コマンド」が含まれているか否かの判断を行っている。この「リール停止コマンド」は、回転していた左リール３Ｌ、中リール３Ｃ、又は右リール３Ｒに対する停止操作が行われたことを表すものであり、停止させるリールの識別情報、及び停止表示される図柄の情報などが含まれている。
【０２７６】
もし、「リール停止コマンド」が含まれている場合には、次のステップＳ６０８に進み、更に「リール停止コマンド」が、「第２停止操作」であるか否か、又は「第３停止操作」であるか否か等に応じて演出を決定する処理を行って、ステップＳ６２６に進む。他方、ステップＳ６０６の判断にて、受信したコマンドに「リール停止コマンド」が含まれていないと判断した場合には、ステップＳ６１０に分岐する。
【０２７７】
ステップＳ６１０にて画像制御マイコン８１は、図３１のステップＳ５０６にて取得した情報に、「表示役コマンド」が含まれているか否かの判断を行う。この「表示役コマンド」には、回転していた左リール３Ｌ、中リール３Ｃ、及び右リール３Ｒが停止した際に、有効ライン８上に停止した図柄の停止態様に基づいて決定した表示役を特定する表示役データの情報が含まれている。もし、「表示役コマンド」が含まれている場合には、次のステップＳ６１２に進み、「表示役コマンド」が含まれていない場合には、ステップＳ６１４に分岐する。
【０２７８】
ステップＳ６１２にて画像制御マイコン８１は、取得した表示役コマンドに応じた演出データを決定する処理を行って、ステップＳ６２６に進む。表示役コマンド受信時処理の詳細については、後段にて図３７を用いて説明する。
【０２７９】
ステップＳ６１４にて画像制御マイコン８１は、図３１のステップＳ５０６にて取得した情報に、「ボーナス開始コマンド」が含まれているか否かの判断を行う。この「ボーナス開始コマンド」は、図２９のステップＳ３０６にて、ＣＰＵ３１が送信したコマンドを受信したものであり、ＢＢ１作動中フラグ又はＢＢ２作動中フラグの情報が含まれる。受信したコマンドに「ボーナス開始コマンド」が含まれていると判断した場合には、ステップＳ６１５に進み、"ＢＢ１"、又は"ＢＢ２"等のボーナスゲームの種別に応じた演出データをセットする処理を行う。次のステップＳ６１６では、ボーナスゲームの種類に応じて、ＢＢ作動状態（サブ）又はＭＢ作動状態（サブ）の演出データをセットする処理を行う。他方、ステップＳ６１４にて受信したコマンドに「ボーナス開始コマンド」が含まれていないと判断した場合には、ステップＳ６１８に分岐する。
【０２８０】
ステップＳ６１８にて、画像制御マイコン８１は、図３１のステップＳ５０６にて取得した情報に、「ボーナス終了時コマンド」が含まれているか否かの判断を行っている。この「ボーナス終了時コマンド」は、図２７のステップＳ３２６にて、ＣＰＵ３１が送信したコマンドを受信したものであり、「特別遊技状態」が終了したことを表す情報である。もし、受信したコマンドに「ボーナス終了時コマンド」が含まれていると判断した場合には、次のステップＳ６１９に進む。他方、受信したコマンドに「ボーナス終了時コマンド」が含まれていないと判断した場合には、ステップＳ６２２に分岐する。
【０２８１】
ステップＳ６１９にて画像制御マイコン８１は、受信したコマンドに「ボーナス終了時コマンド」が含まれていることを受けて、ボーナスゲーム終了時用の演出データをセットする処理を行う。そして、次のステップＳ６２０に進み、ボーナス終了時コマンド受信時処理を行う。当該ステップＳ６２０における処理が終了した場合には、ステップＳ６２６に進む。
【０２８２】
ステップＳ６２２にて、画像制御マイコン８１は、図３１のステップＳ５０６にて取得した情報に、「ＢＥＴコマンド」が含まれているか否かの判断を行っている。この「ＢＥＴコマンド」は、図１及び図５に示すＭＡＸＢＥＴスイッチ１３が押下操作されたことを示すコマンドであり、図１９のステップＳ４にて、ＣＰＵ３１が送信したコマンドを受信したものである。もし、受信したコマンドに「ＢＥＴコマンド」が含まれていると判断した場合には、次のステップＳ６２４に進み、ＢＥＴコマンド受信時処理を実行する。他方、受信したコマンドに「ＢＥＴコマンド」が含まれていないと判断した場合には、ステップＳ６２６に分岐する。
【０２８３】
ステップＳ６２６にて画像制御マイコン８１は、ステップＳ６０４、ステップＳ６０８、ステップＳ６１２、ステップＳ６１６、ステップＳ６２０、及びステップＳ６２４にて決定した演出データや遊技状態、表示役等に応じた演出を選び出して所定の記憶領域にセットする処理を行う。ここでは、例えば演出内容に応じた所定のアニメーションデータをセットしたり、ＬＥＤ類５７又はランプ類５８を発光させる発光データをセットしたり、スピーカ２１Ｌ，２１Ｒから発するサウンドデータをセットする処理を行う。ステップＳ６２６にて演出データのセットが終了すると、演出内容決定処理を終了する。
【０２８４】
次に、画像制御マイコン８１にて実行される演出抽籤処理について、図３４を用いて説明する。図３４は、図３３のステップＳ６０４における演出抽籤処理の詳細を示すものである。
【０２８５】
ステップＳ６４２にて画像制御マイコン８１は、主制御回路５５から送信されてきた作動中フラグ格納領域のデータを参照して、「ＢＢ１作動中フラグ」、又は「ＢＢ２作動中フラグ」が副制御回路５６側にてセットされているか否かの判断を行う。もし、「ＢＢ１作動中フラグ」、又は「ＢＢ２作動中フラグ」が副制御回路５６側にてセットされている場合には、ステップＳ６４８の処理に分岐する。他方、「ＢＢ１作動中フラグ」、又は「ＢＢ２作動中フラグ」がセットされていない場合には、次のステップＳ６４４の処理に進む。
【０２８６】
ステップＳ６４４にて画像制御マイコン８１は、主制御回路５５から送信されてきた最新の作動中フラグ格納領域のデータを参照して、「ＲＴ作動中フラグ」が副制御回路５６側にてセットされているか否かの判断を行う。もし、「ＲＴ作動中フラグ」が副制御回路５６側にてセットされている場合には、ステップＳ６４６の処理に分岐する。他方、「ＲＴ作動中フラグ」がセットされていない場合には、次のステップＳ６５０の処理に進む。
【０２８７】
ステップＳ６４６にて画像制御マイコン８１は、最初に遊技者が選択した「特別遊技状態」が"ＢＢ１"であるか、又は"ＢＢ２"であるかと、内部当籤役が"赤特殊"であるか、又は"青特殊"であるかに応じてＲＴ遊技状態用演出テーブルを選択する処理を行う。ＲＴ遊技状態用演出テーブル選択処理の詳細については、後段にて図３５を用いて説明する。
【０２８８】
ステップＳ６４８にて画像制御マイコン８１は、現在作動している遊技状態が"ＢＢ１"又は"ＢＢ２"であることを受けて、当該遊技状態の種別や抽籤等によりＢＢ遊技状態用演出テーブルを選択する処理を行う。
【０２８９】
ステップＳ６５０にて画像制御マイコン８１は、ステップＳ６４４にて行った判断の結果、現在の遊技状態が「特別遊技状態」及び「高確率再遊技状態」の何れでもない「一般遊技状態」であることから、抽籤等により一般遊技状態用演出テーブルを選択する処理を行う。一般遊技状態用演出テーブル選択処理の詳細については、後段にて図３６を用いて説明する。
【０２９０】
ステップＳ６４６、ステップＳ６４８、又はステップＳ６５０の処理が終了すると、ステップＳ６５２の処理に進み、演出内容が決定されたか否かの判断を行う。既に演出内容が決定されている場合には、ステップＳ６５６に分岐し、未だ演出内容が決定されていない場合には、ステップＳ６５４に進んで、選択した各種演出テーブルを用いて演出内容を決定する処理を行う。
【０２９１】
ステップＳ６５６にて画像制御マイコン８１は、決定された演出データと対応付けられている演出画像を取得し、演出画像（アニメーションデータ等）を生成する。更に、ＬＥＤ類５７、又はランプ類５８を発光させる発光データ、サウンドデータ等のＢＢ作動中用演出データを決定してセットする。ステップＳ６５６の処理が終了すると、当該演出抽籤処理を終了して、元の処理ルーチンに戻る。
【０２９２】
次に、画像制御マイコン８１にて実行されるＲＴ遊技状態用演出テーブル選択処理について、図３５を用いて説明する。図３５は、図３４のステップＳ６４６におけるＲＴ遊技状態用演出テーブル選択処理の詳細を示すものである。
【０２９３】
ステップＳ６６２にて画像制御マイコン８１は、「高確率再遊技状態」における内部当籤役にボーナスゲーム役（"ＢＢ１"又は"ＢＢ２"）が含まれているか否かの判断を行う。もし、主制御回路５５から送信されてきた内部当籤役にボーナスゲーム役が含まれている場合には、次のステップＳ６６４に進み、ボーナスゲーム役が含まれていない場合には、ステップＳ６７０に分岐する。
【０２９４】
ステップＳ６６４にて画像制御マイコン８１は、後段の図３８のステップＳ８１６にて設定する初回赤ＢＢフラグが「オン」に設定されているか否かの判断を行う。初回ＢＢフラグが「オン」である場合には、ステップＳ６６６に進み、後段の図３８のステップＳ８０６にて説明する「ペナルティ」を避けるために、赤ＢＢの図柄組合せである"赤７−赤７−赤７"の停止表示を促す演出内容を決定する。例えば、図４０に示すように、表示窓４Ｌ，４Ｃ，４Ｒの全ての窓枠を赤点滅させるとよい。また、図４０の液晶表示装置５に示すように、"青７−青７−青７"の図柄組合せではなく、"赤７−赤７−赤７"を停止表示すべきである旨を表示して、遊技者に対して注意を促す報知を行うとよい。なお、図４０に示す実施例では、"ＢＢ１"（赤ＢＢ）を表示させるべき時に、直接"ＢＢ１"を停止表示させるべきである旨を通知しているが、これとは逆に、「青」に関する表示を行うことによって、それとなく"ＢＢ１"を停止表示させるべきである旨を遊技者に報知することもできる。この場合には、当該回胴式遊技機１の演出表示に関する知識を有する遊技者でないと、"ＢＢ２"（青ＢＢ）を停止表示してしまい、「ペナルティ」が科せられて損をすることになる。
【０２９５】
なお、初回の「特別遊技状態」において遊技者が"ＢＢ１"（赤ＢＢ）を選択した場合には、初回の「特別遊技状態」の終了後に作動する「高確率再遊技状態」におけるナビポイント（第１初回報知回数ＨＰ１）は６回であり、「高確率再遊技状態」において単位遊技数ＮＰＳ１＝２８回＝報知回数６回×（１／（Ｑ＋Ｑ））＋１／Ｑ（Ｑ："赤特殊"又は"青特殊"が内部当籤する確率であり、図１０に示す実施例では、Ｑ≒１／７。）の単位遊技を消化することになる。しかし、第２回目以降の「高確率再遊技状態」においては、単位遊技数ＮＰ１＝２０５回の単位遊技を期待できる。このＮＰ１＝２０５回の単位遊技は、"ＢＢ"の当籤確率として図１０に示す当籤確率（５１２／６５５３６）を設定した場合には、（式７）に示したようにＲ１＝０．８＝８０％の連荘率となる。ステップＳ６６６における処理が終了すると、当該ＲＴ遊技状態用演出テーブル選択処理を終了して、元の処理ルーチンに戻る。
【０２９６】
ステップＳ６６８にて画像制御マイコン８１は、初回ＢＢフラグが「オン」でないことを受けて、後段の図３８のステップＳ８０６にて説明する「ペナルティ」を避けるために、青ＢＢの図柄組合せである"青７−青７−青７"の停止表示を促す演出内容を決定する。例えば、図４１に示すように、表示窓４Ｌ，４Ｃ，４Ｒの全ての窓枠を青点滅させるとよい。また、図４１の液晶表示装置５に示すように、"赤７−赤７−赤７"の図柄組合せではなく、"青７−青７−青７"を停止表示すべきである旨を表示して、遊技者に対して注意を促す報知を行うとよい。ここでも、直接"ＢＢ２"（青ＢＢ）を表示させるべきである旨を通知する代りに、逆の「赤」に関する表示を行うことによって、それとなく"ＢＢ２"を停止表示させるべきである旨を遊技者に報知することもできる。
【０２９７】
なお、初回の「特別遊技状態」において遊技者が"ＢＢ２"（青ＢＢ）を選択した場合には、初回の「特別遊技状態」の終了後に作動する「高確率再遊技状態」の単位遊技数ＮＰＳ２＝２０５回である。また、２回目以降の「高確率再遊技状態」においては、単位遊技数ＮＳ２＝２８回＝報知回数６回×（１／（Ｑ＋Ｑ））＋１／Ｑ（Ｑ："赤特殊"又は"青特殊"が内部当籤する確率であり、図１０に示す実施例では、Ｑ≒１／７。）の単位遊技を消化することになる。このＮＰ２＝２８回の単位遊技は、"ＢＢ"の当籤確率として図１０に示す当籤確率（５１２／６５５３６）を設定した場合には、（式７）に示したようにＲ２＝０．２＝２０％の連荘率となる。ステップＳ６６８における処理が終了すると、当該ＲＴ遊技状態用演出テーブル選択処理を終了して、元の処理ルーチンに戻る。
【０２９８】
ステップＳ６７０にて画像制御マイコン８１は、内部当籤役にボーナスゲーム役（"ＢＢ１"又は"ＢＢ２"）が含まれていなかったことを受けて、内部当籤役が"赤特殊"又は"青特殊"の何れかであるか否かの判断を行う。もし、内部当籤役が"赤特殊"又は"青特殊"の何れでもない場合には、ステップＳ６８０に分岐して、その他の内部当籤役に応じた演出を決定する処理を行い、当該ＲＴ遊技状態用演出テーブル選択処理を終了する。
【０２９９】
他方、ステップＳ６７０にて、内部当籤役が"赤特殊"又は"青特殊"の何れかであると判断した場合には、ステップＳ６７２に進み、更にナビポイント格納領域に格納されている値を読み取って、ナビポイントの値が「１」以上であるか否かの判断を行っている。もし、ナビポイントの値が「１」以上でない場合（すなわち「０」の場合。）には、ステップＳ６７８に分岐して、その他の内部当籤役に応じた演出を決定する処理を行い、当該ＲＴ遊技状態用演出テーブル選択処理を終了する。
【０３００】
ステップＳ６７４にて画像制御マイコン８１は、ナビポイント格納領域に格納されている値を読み取って、ナビポイントの値から「１」を減算して、再びナビポイント格納領域に格納する。次のステップＳ６７６にて、内部当籤した特殊役が、"赤特殊"てあるか、又は"青特殊"であるかに応じて、演出内容を決定する処理を行う。例えば、内部当籤した特殊役が"赤特殊"であった場合には、遊技者が特殊役の成立を阻止して、当該「高確率再遊技状態」を継続させることができるように、図４２に示すように左リール３Ｌ用の表示窓４Ｌの窓枠を青点滅させる。この青色の点滅表示を見た遊技者は、左リール３Ｌにて変動表示している図柄のうち、"青７"を停止表示させることで、"赤特殊"の図柄組合せが停止表示さることを阻止することができる。
【０３０１】
他方、内部当籤した特殊役が"青特殊"であった場合には、遊技者が特殊役の成立を阻止して、当該「高確率再遊技状態」を継続させることができるように、図４３に示すように左リール３Ｌ用の表示窓４Ｌの窓枠を赤点滅させる。この赤色の点滅表示を見た遊技者は、左リール３Ｌにて変動表示している図柄のうち、"赤７"を停止表示させることで、"青特殊"の図柄組合せが停止表示さることを阻止することができる。図３及び図４の図柄配列に示されるように、停止制御における最大の滑りコマ数を４コマとした場合には、左リール３Ｌにおいて"赤７"及び"青７"の双方を同時に外すことは不可能であり、且つ、"赤７"と"青７"とを同時に有効ライン８上に停止表示させることも不可能だからである。ステップＳ６７６の処理が終了すると、当該ＲＴ遊技状態用演出テーブル選択処理を終了する。
【０３０２】
なお、図４２に示す実施例では、"赤特殊"を外すべき時に、直接"青７"を停止表示させるべきである旨を通知しているが、これとは逆に、赤色に関する表示を行うことによって、"青７"を停止表示させるべきである旨を遊技者に報知することもできる。この場合には、当該回胴式遊技機１の演出表示に関する知識を有する遊技者でないと、"赤特殊"の図柄が停止表示され、「高確率再遊技状態」が終了してしまうことになる。また、同様に、図４３に示す実施例とは逆に、青色に関する表示を行うことによって、"赤７"を停止表示させるべきである旨を遊技者に報知することもできる。
【０３０３】
次に、画像制御マイコン８１にて実行される一般遊技状態用演出テーブル選択処理について、図３６を用いて説明する。図３６は、図３４のステップＳ６５０における一般遊技状態用演出テーブル選択処理の詳細を示すものである。
【０３０４】
ステップＳ７０２にて画像制御マイコン８１は、「スタートコマンド」と共に送信されてきた内部当籤役に、ボーナスゲーム役（"ＢＢ１"又は"ＢＢ２"）が含まれているか否かの判断を行う。もし、ボーナスゲーム役が含まれていない場合には、ステップＳ７１４に分岐して、その他内部当籤役に応じた演出処理を決定し、当該一般遊技状態用演出テーブル選択処理を終了する。
【０３０５】
他方、ステップＳ７０２の判断にて、ボーナスゲーム役が含まれていると判断した場合には、次のステップＳ７０４に進み、初回赤ＢＢフラグ又は初回青ＢＢフラグの何れかが「オン」であるか否かの判断を行う。もし、初回赤ＢＢフラグ又は初回青ＢＢフラグの何れも「オン」でない場合には、ステップＳ７１２に分岐して、ＢＢ成立を報知する演出内容を決定する。
【０３０６】
ステップＳ７１２では、例えば図３９に示すような表示を、必ず、又は演出抽籤により液晶表示装置５に表示する。その後、遊技者が"ＢＢ１"（赤ＢＢ）の図柄組合せを選択して停止表示させた場合には、当該「特別遊技状態」が終了した直後の初回（Ｋ＝１回目）の「高確率再遊技状態」において、単位遊技数ＮＰＳ１＝２８回に相当するナビポイント（第１初回報知回数ＨＰ１）＝６回が設定される。更に、続けて"ＢＢ１"（赤ＢＢ）の「特別遊技状態」を連続して作動させることができた場合には、Ｋ＝２回目以降の「高確率再遊技状態」において、単位遊技数ＮＳ１＝２０５回を行うことができる旨の報知を行う。他方、遊技者が"ＢＢ２"（青ＢＢ）の図柄組合せを選択して停止表示させた場合には、当該「特別遊技状態」が終了した直後の初回（Ｋ＝１回目）の「高確率再遊技状態」において、単位遊技数ＮＰＳ２＝２０５回を行うことができる旨の報知を行うことができる。ステップＳ７１２における演出内容の決定処理が終了すると、当該一般遊技状態用演出テーブル選択処理を終了して、元の処理ルーチンに戻る。
【０３０７】
ステップＳ７０４の判断にて、初回赤ＢＢフラグ又は初回青ＢＢフラグの何れかが「オン」であると判断した場合には、次のステップＳ７０６に進み、初回赤ＢＢフラグが「オン」であるか否かの判断を行う。もし、初回赤ＢＢフラグが「オン」である場合には、次のステップＳ７０８に進み、図３５のステップＳ６６６にて示した処理と同様に、赤ＢＢ表示を促す演出内容を決定する処理を行う。このように、ステップＳ７０６に処理が進む場合とは、高確率再遊技状態の終了条件が満たされたものの、「持越役」が存在しているために、初回赤ＢＢフラグをオフにしておらず（後段の図３７に示すステップＳ７６０を迂回した場合。）遊技者が"ＢＢ１"の図柄組合せを停止表示するまで待つ処理を行っている場合である。ステップＳ７０８の処理が終了すると、当該一般遊技状態用演出テーブル選択処理を終了する。
【０３０８】
他方、ステップＳ７０６の判断にて、初回赤ＢＢフラグが「オン」でないと判断した場合には、ステップＳ７１０の処理に分岐し、ステップＳ７１０に分岐して、図３５のステップＳ６６８にて示した処理と同様に、青ＢＢ表示を促す演出内容を決定する処理を行う。この場合も、高確率再遊技状態の終了条件が満たされたものの、「持越役」が存在しているために、初回青ＢＢフラグをオフにしておらず（後段の図３７に示すステップＳ７６０を迂回した場合。）遊技者が"ＢＢ２"の図柄組合せを停止表示するまで待つ処理を行っている場合である。ステップＳ７１０の処理が終了すると、当該一般遊技状態用演出テーブル選択処理を終了して、元の処理ルーチンに戻る。
【０３０９】
次に、画像制御マイコン８１にて実行される表示役コマンド受信時処理について、図３７を用いて説明する。図３７は、図３３のステップＳ６１２における表示役コマンド受信時処理の詳細を示すものである。
【０３１０】
ステップＳ７５２にて画像制御マイコン８１は、表示役コマンドに含まれる表示役２格納領域のデータに、"ＢＢ１"又は"ＢＢ２"の表示役が含まれているか否かの判断を行う。もし、"ＢＢ１"又は"ＢＢ２"の表示役が含まれている場合には、次のステップＳ７５４に進み、"ＢＢ１"又は"ＢＢ２"の表示役が含まれていない場合には、ステップＳ７５８に分岐する。
【０３１１】
ステップＳ７５４にて画像制御マイコン８１は、前回の「高確率再遊技状態」にて使用していたナビポイントをリセットするために、ナビポイント格納領域をクリアするとともに、副制御回路５６にて用いられるＢＢ作動状態フラグをセットする処理を行う。
【０３１２】
次のステップＳ７５６にて画像制御マイコン８１は、遊技状態や表示役の種別等に応じて、初回赤ＢＢフラグ、初回青ＢＢフラグ、又はナビポイントの値をセットする処理を行う。ステップＳ７５６のＢＢ表示時処理の詳細については、後段にて図３８を用いて説明する。
【０３１３】
次のステップＳ７５８にて画像制御マイコン８１は、現在の遊技状態が「高確率再遊技状態」を終了する状態であって、且つ持越役格納領域（図１３参照。）のデータが「０」であるか否かの判断を行う。もし、現在の遊技状態が「高確率再遊技状態」を終了する状態であって、且つ持越役格納領域のデータが「０」である場合には、次のステップＳ７６０に進み、初回赤ＢＢフラグ及び初回青ＢＢフラグを「オフ」にセットする処理を行う。
【０３１４】
他方、ステップＳ７５８の判断にて、現在の遊技状態が「高確率再遊技状態」を終了する状態、且つ持越役格納領域のデータが「０」でない場合には、持越役の"ＢＢ１"又は"ＢＢ２"が停止表示されるまで「高確率再遊技状態」を継続させるために、初回赤ＢＢフラグ又は初回青ＢＢフラグを保持し続けるべく、ステップＳ７６２を実行せずにステップＳ７６２に分岐する。
【０３１５】
ステップＳ７６２にて画像制御マイコン８１は、表示役等に基づいて演出データをセットする処理を行う。ステップＳ７６２における処理が終了すると、当該表示役コマンド受信時処理を終了して、元の処理ルーチンに戻る。
【０３１６】
次に、画像制御マイコン８１にて実行されるＢＢ表示時処理について、図３８を用いて説明する。図３８は、図３７のステップＳ７５６におけるＢＢ表示時処理の詳細を示すものである。
【０３１７】
ステップＳ８０２にて画像制御マイコン８１は、今回成立した"ＢＢ１"又は"ＢＢ２"の表示役が、「高確率再遊技状態」において成立したものであるか否かの判断を行う。もし、「高確率再遊技状態」において成立したものでない場合には、ステップＳ８１４の処理に分岐する。他方、「高確率再遊技状態」において成立したものである場合には、次のステップＳ８０４に進む。
【０３１８】
ステップＳ８０４にて画像制御マイコン８１は、停止表示された図柄組合せが、"赤７−赤７−赤７"であって、表示役が"ＢＢ１"（赤ＢＢ）であるか否かの判断を行う。もし、表示役が"ＢＢ１"でない場合には、ステップＳ８１０の処理に分岐する。他方、表示役が"ＢＢ１"である場合には、次のステップＳ８０６に進む。
【０３１９】
ステップＳ８０６にて画像制御マイコン８１は、ワークＲＡＭ８４に初回赤ＢＢフラグが「オン」状態として記憶されているか否かの判断を行う。この初回赤ＢＢフラグは、後段のステップＳ８１６にて、遊技者により初回の「特別遊技状態」として"ＢＢ１"（赤ＢＢ）が選択された場合にセットするフラグである。もし、初回赤ＢＢフラグが「オン」でない場合には、当該ＢＢ表示時処理を終了して、元の処理ルーチンに戻る。この場合は、初回赤ＢＢフラグが「オフ」（すなわち、最初の「特別遊技状態」として遊技者が"ＢＢ２"（青ＢＢ）を選択したことにより、Ｋ＝１回目の「高確率再遊技状態」においてＮＰＳ２回＝２０５回のナビポイント（第２初回報知回数ＨＰ２）がステップＳ８２２にて格納された。）にもかかわらず、今回の「高確率再遊技状態」において、表示役として"ＢＢ１"（赤ＢＢ）の「特別遊技状態」を遊技者が誤って選択した場合である。この場合には、ナビポイント（報知回数）を設定せずに、平均の単位遊技数＝７回（図１０に示す、"赤特殊"及び"青特殊"の当籤確率。）の単位遊技を消化することになる。このような状態を、「ペナルティ」と呼ぶ。
【０３２０】
ここで、遊技者に対して"赤特殊"及び"青特殊"の落ち役の報知を行わないという「ペナルティ」を科すのは、初回の「高確率再遊技状態」と同一回数のナビポイントで報知を行うと、最初に遊技者が"ＢＢ１"を選択した場合と、"ＢＢ２"を選択した場合とで、遊技媒体を取得するであろう期待値を同一にすることができないからである。ステップＳ８０６において、初回赤ＢＢフラグが「オン」である場合には、次のステップＳ８０８に進む。
【０３２１】
次のステップＳ８０８にて画像制御マイコン８１は、初回赤ＢＢフラグが「オン」（すなわち、最初の「特別遊技状態」として遊技者が"ＢＢ１"（赤ＢＢ）を選択したことにより、Ｋ＝１回目の「高確率再遊技状態」における単位遊技数ＮＰＳ１回＝２８回に相当するナビポイント（第１初回報知回数ＨＰ１）＝６回がステップＳ８１８にて格納された場合。）であり、かつ、今回の「高確率再遊技状態」において、表示役として再度"ＢＢ１"（赤ＢＢ）の「特別遊技状態」を遊技者が正しく選択したことを受けて、ナビポイント格納領域に最大のＮＳ１回＝２０５回の値（第１報知回数Ｈ１）を格納する。そして、当該ＢＢ表示時処理を終了して、元の処理ルーチンに戻る。
【０３２２】
ステップＳ８１０にて画像制御マイコン８１は、ワークＲＡＭ８４に初回青ＢＢフラグが「オン」状態として記憶されているか否かの判断を行う。この初回青ＢＢフラグは、後段のステップＳ８２０にて、遊技者により初回の「特別遊技状態」として"ＢＢ２"（青ＢＢ）が選択された場合にセットするフラグである。もし、初回青ＢＢフラグが「オン」でない場合には、当該ＢＢ表示時処理を終了して、元の処理ルーチンに戻る。この場合には、初回青ＢＢフラグが「オフ」（すなわち、最初の「特別遊技状態」として遊技者が"ＢＢ１"（赤ＢＢ）を選択した。）にもかかわらず、今回の「高確率再遊技状態」において、表示役として"ＢＢ２"（青ＢＢ）の「特別遊技状態」を遊技者が誤って選択した場合である。この場合には、ナビポイント（報知回数）を設定せずに、「ペナルティ」となる平均の単位遊技数＝７回（図１０に示す、"赤特殊"及び"青特殊"の当籤確率。）の単位遊技を消化することになる。他方、ステップＳ８１０において、初回青ＢＢフラグが「オン」である場合には、次のステップＳ８１２に進む。
【０３２３】
次のステップＳ８１２にて画像制御マイコン８１は、初回青ＢＢフラグが「オン」（すなわち、最初の「特別遊技状態」として遊技者が"ＢＢ２"（青ＢＢ）を選択したことにより、Ｋ＝１回目の「高確率再遊技状態」において単位遊技数ＮＰＳ２回＝２０５回に相当するナビポイント（第２初回報知回数ＨＰ２）がステップＳ８２０にて格納された場合。）であり、かつ、今回の「高確率再遊技状態」において、表示役として再度"ＢＢ２"（青ＢＢ）の「特別遊技状態」を遊技者が正しく選択したことを受けて、単位遊技数ＮＳ２回＝２８回に相当するナビポイント（第２報知回数Ｈ２）＝６回の値を格納する。そして、当該ＢＢ表示時処理を終了して、元の処理ルーチンに戻る。
【０３２４】
ステップＳ８１４にて画像制御マイコン８１は、現在の遊技状態が「高確率再遊技状態」でないこと（すなわち、「一般遊技状態」であること。）を受けて、停止表示された図柄組合せが、"赤７−赤７−赤７"であって、表示役が"ＢＢ１"（赤ＢＢ）であるか否かの判断を行う。もし、表示役が"ＢＢ１"でない場合には、ステップＳ８２０の処理に分岐する。他方、表示役が"ＢＢ１"である場合には、次のステップＳ８１６に進む。
【０３２５】
次のステップＳ８１６にて画像制御マイコン８１（初回特別遊技種類記憶手段）は、初回赤ＢＢフラグを「オン」にして図６に示すワークＲＡＭ８４に格納する処理を行う。この初回赤ＢＢフラグは、「一般遊技状態」において"ＢＢ"が内部当籤し、遊技者が"ＢＢ１"（赤ＢＢ）を選択したことを表すフラグである。この初回赤ＢＢフラグに基づいて、Ｋ＝１回目の「高確率再遊技状態」における単位遊技数ＮＰＳ１＝２８回に相当するナビポイント（第１初回報知回数ＨＰ１）として６回を設定し、Ｋ＝２回目以降の「高確率再遊技状態」においては、２０５回の単位遊技数を保証するナビポイント（第１報知回数Ｈ１）を設定することになる。次のステップＳ８１８では、このＫ＝１回目の「高確率再遊技状態」におけるナビポイント（第１初回報知回数ＨＰ１）＝６回をナビポイント格納領域に格納する。そして、当該ＢＢ表示時処理を終了して、元の処理ルーチンに戻る。
【０３２６】
ステップＳ８２０にて画像制御マイコン８１（初回特別遊技種類記憶手段）は、現在の遊技状態が「高確率再遊技状態」でないこと（すなわち、「一般遊技状態」であること。）と、停止表示された図柄組合せが、"赤７−赤７−赤７"でないこと（すなわち、"青７−青７−青７"の青ＢＢであること。）を受けて、初回青ＢＢフラグを「オン」にして図６に示すワークＲＡＭ８４に格納する処理を行う。この初回青ＢＢフラグは、「一般遊技状態」において"ＢＢ"が内部当籤し、遊技者が"ＢＢ２"（青ＢＢ）を選択したことを表すフラグである。この初回青ＢＢフラグに基づいて、Ｋ＝１回目の「高確率再遊技状態」において２０５回（第２初回報知回数ＨＰ２）の単位遊技数を保証する値を設定し、Ｋ＝２回目以降の「高確率再遊技状態」においては、単位遊技数ＮＳ２回＝２８回に相当するナビポイント（第２報知回数Ｈ２）＝６回を設定することになる。次のステップＳ８２２では、このＫ＝１回目の「高確率再遊技状態」における単位遊技数ＮＰＳ２＝２０５回（第２初回報知回数ＨＰ２）をナビポイント格納領域に格納する。そして、当該ＢＢ表示時処理を終了して、元の処理ルーチンに戻る。
【０３２７】
次に、第２回目以降の「高確率再遊技状態」において、再度「特別遊技状態」が内部当籤する確率Ｒｍ（約１０％、約２０％、約８０％）と、「高確率再遊技状態」が継続するであろう単位遊技数ＮＳｍと、ナビポイントの回数と、ＲＴゲーム数カウンタにセットする「高確率再遊技状態」の単位遊技数との関係を、図４４に示す。
【０３２８】
上記の（式７）に示されるように、高確率再遊技状態において"ＢＢ"が内部当籤する当籤確率を、ＰＢ＝１／１２８に設定した場合であって、第２回目以降の「高確率再遊技状態」において、再度「特別遊技状態」が内部当籤する確率を、Ｒ＝０．０５（５％）とした場合には、「高確率再遊技状態」が継続するであろう平均の単位遊技数は、Ｎ＝６．５３９８…≒ＮＳ＝７回と算出される。この場合には、"赤特殊"及び"青特殊"の当籤確率は１／７であるので、ナビポイントは０回でよい。同様に、Ｒ＝０．２（２０％）とした場合にはＮＳ＝２８回、ナビポイント（第２報知回数Ｈ２）は６回に設定するとよい。同様に、Ｒ＝０．８（８０％）とした場合にはＮＳ＝２０５回と算出される。上述の実施例では、「高確率再遊技状態」における最大継続単位遊技数を２０５回に設定している（図２７に示すステップＳ３３６参照。）のでＲ＝０．８の場合には、ナビポイントは∞回としてもよいが、上記の実施例では、図３８に示すステップＳ８０８及びステップＳ８２２にて、最大継続単位遊技数ＮＳｍａｘと同一の２０５回をナビポイント格納領域に格納している。
【０３２９】
次に、遊技者が最初に第１特別遊技状態（"ＢＢ１"）を選択した場合と、第２特別遊技状態（"ＢＢ２"）とにおける遊技媒体の期待値の算出結果を、図４５に示す。なお、第１特別遊技状態終了後に作動する初回の高確率再遊技状態において、再度特別遊技状態が内部当籤する確率を、ＲＰ１＝０．２（２０％）とし、第２回目以降の高確率再遊技状態において再度特別遊技状態が内部当籤する確率を、Ｒ１＝０．８（８０％）としている。この場合には、上記の（式７）より、初回の高確率再遊技状態が継続する単位遊技数は、ＮＰＳ１＝２８と算出され、第２回目以降の高確率再遊技状態が継続する単位遊技数は、ＮＳ１＝２０５と算出される。
【０３３０】
同様に、第２特別遊技状態終了後に作動する初回の高確率再遊技状態において、再度特別遊技状態が内部当籤する確率を、ＲＰ２＝０．８（８０％）とし、第２回目以降の高確率再遊技状態において再度特別遊技状態が内部当籤する確率を、Ｒ２＝０．２（２０％）としている。この場合には、上記の（式７）より、初回の高確率再遊技状態が継続する単位遊技数は、ＮＰＳ２＝２０５と算出され、第２回目以降の高確率再遊技状態が継続する単位遊技数は、ＮＳ２＝２８と算出される。
【０３３１】
なお、何れの「特別遊技状態」においても、１回の特別遊技状態において払出される遊技媒体の数量は１２０枚とし、１回の特別遊技状態における遊技媒体の純増数量もＪＶ＝１０４枚とする。更に、何れの高確率再遊技状態においても、遊技媒体の平均純増数量は、ＪＲ１＝ＪＲ２＝０としている。すると、上記（式１２）より、１回目の「特別遊技状態」と、それに続く初回の「高確率再遊技状態」と、以降Ｋｍ回までの「高確率再遊技状態」におけるメダルの純増数量ＳＫｍは、それぞれ役２０８枚と算出される。なお、このメダルの純増数量ＳＫ＝２０８枚は、１回の特別遊技状態における遊技媒体の純増数量ＪＶ＝１０４枚の２倍にあたるので、「特別遊技状態」の連続期待数は２回と算出される。
【０３３２】
上記の実施例では、第１特別遊技状態が終了した後に続いて作動する「高確率再遊技状態」における"ＢＢ"の内部当籤確率と、第２特別遊技状態が終了した後に続いて作動する第２の「高確率再遊技状態」における"ＢＢ"の内部当籤確率とを、同一の当籤確率（ＰＢ）とした実施例（図８の一般遊技状態用内部抽籤テーブルにおける当籤番号６、及び図１０のＲＴ遊技状態用内部抽籤テーブルにおける当籤番号６参照。）を示した。この他にも、第１特別遊技状態が終了した後に続いて作動する「高確率再遊技状態」における"ＢＢ"の内部当籤確率と、第２特別遊技状態が終了した後に続いて作動する第２の「高確率再遊技状態」における"ＢＢ"の内部当籤確率とを異なる値に設定しつつ、第１特別遊技状態とそれに続く「高確率再遊技状態」における遊技媒体の期待値と、第２特別遊技状態とそれに続く「高確率再遊技状態」における遊技媒体の期待値とが略等しくなるようにＪＶｍ、ＲＰｍ、Ｒｍ、ＮＰＳｍ、ＮＳｍ、ＪＲｍ等の各定数を設定することもできる。
【０３３３】
また、上記の実施例では、第１特別遊技状態及び第２特別遊技状態の２種類（ｍ＝２）の特別遊技状態の間において、遊技媒体の期待値が略等しくなるようにＪＶｍ、ＲＰｍ、Ｒｍ、ＮＰＳｍ、ＮＳｍ、ＪＲｍ等の値を設定する実施例を主に示したが、３種類以上（ｍ≧３）の特別遊技状態の間において遊技媒体の期待値が略等しくなるようにＪＶｍ、ＲＰｍ、Ｒｍ、ＮＰＳｍ、ＮＳｍ、ＪＲｍ等の値を設定することも可能である。
【０３３４】
また、上記の実施例では、図１５に示すボーナス用内部当籤役決定テーブルの当り要求フラグに示されるように、"ＢＢ"が内部当籤するのは、"ＢＢ１"及び"ＢＢ２"の双方が同時に内部当籤する場合のみである。この他にも、"ＢＢ１"が単独で内部当籤する場合や"ＢＢ２"が単独で内部当籤する場合を併設することができる。なお、その場合であっても、遊技者が"ＢＢ１"又は"ＢＢ２"の何れかを選択することが可能となるのは、"ＢＢ１"及び"ＢＢ２"が同時に内部当籤している場合のみである。
【０３３５】
また、上記の実施例では、第１高確率再遊技状態の単位遊技における遊技媒体の第１純増数量ＪＲ１と、第２高確率遊技状態の単位遊技における遊技媒体の第２純増数量ＪＲ２とを同一とした実施例を示したが、本発明はＪＲ１＝ＪＲ２＝ＪＲｍの場合に限定するものではない。例えば、第１純増数量ＪＲ１＝０．１、第２純増数量ＪＲ２＝０．５のように、それぞれを異なる値に設定した場合であっても、ＪＶｍ、ＲＰｍ、Ｒｍ、ＮＰＳｍ、ＮＳｍ等の値を適宜変更することによって、最終的に得られるであろう遊技媒体の期待値を略等しくすることができる。なお、第１純増数量ＪＲ１及び第２純増数量ＪＲ２の値を調節するには、図１０のＲＴ遊技状態用内部抽籤テーブルに示される"リプレイ"の当籤確率を、第１高確率再遊技状態における第１の再遊技当籤確率と、第２高確率再遊技状態における第２の再遊技当籤確率とで異なる値に設定することによって、容易に行うことができる。また、それぞれの小役の当籤確率を変更することによって第１純増数量ＪＲ１及び第２純増数量ＪＲ２の値を変更することができる。
【０３３６】
また、上記の実施例では、図８に示す一般遊技状態用内部抽籤テーブルと図１０に示すＲＴ遊技状態用内部抽籤テーブルとに定義されている通り、一般遊技状態に比してＲＴ遊技状態における"リプレイ"の当籤確率を高く設定してあるが、本発明はこれに限定するものではない。本実施例とは逆に、ＲＴ遊技状態に比して一般遊技状態における"リプレイ"の当籤確率を高く設定することも可能である。
【符号の説明】
【０３３７】
１…回胴式遊技機
２…筐体枠
３…リール
３Ｌ…左リール
３Ｃ…中リール
３Ｒ…右リール
４Ｌ，４Ｃ，４Ｒ…表示窓（図柄表示手段）
５…液晶表示装置
６…スタートレバー
６Ｓ…スタートスイッチ（開始操作検出手段）
７Ｌ…左停止ボタン（図柄停止操作手段）
７Ｃ…中停止ボタン（図柄停止操作手段）
７Ｒ…右停止ボタン（図柄停止操作手段）
８…有効ライン
１５…メダル投入口
１６…メダル払出口
１７…メダル受皿
１８…払出枚数表示部
１９…クレジット表示部
２０…ボーナス遊技情報表示部
２１Ｌ，２１Ｒ…スピーカ
２２…ＷＩＮランプ
３０…マイクロコンピュータ
３１…ＣＰＵ（内部当籤役決定手段、内部当籤役持越手段、停止制御手段、特別遊技作動手段、高確率再遊技作動手段、高確率再遊技終了手段、遊技媒体払出手段、有効ライン規定手段、図柄停止位置仮決定手段、図柄捜査手段）
３２…ＲＯＭ
３３…ＲＡＭ
３９…モータ駆動回路（図柄変動手段）
４０Ｌ，４０Ｃ，４０Ｒ…ステッピングモータ
４３…ホッパー
５０…投入メダルセンサ（投入操作検出手段）
５５…主制御回路
５６…副制御回路（初回特別遊技種類記憶手段、特殊役報知手段）
５６ａ…画像制御回路
５６ｂ…音・ランプ制御回路
５７…ＬＥＤ類
５８…ランプ類
６０…操作部
８１…画像制御マイコン（初回特別遊技種類記憶手段、特殊役報知手段）
１１１…音・ランプ制御マイコン（特殊役報知手段）
【図１】
0005622062.tif 000002
【図２】
0005622062.tif 000003
【図３】
0005622062.tif 000004
【図４】
0005622062.tif 000005
【図５】
0005622062.tif 000006
【図６】
0005622062.tif 000007
【図７】
0005622062.tif 000008
【図８】
0005622062.tif 000009
【図９】
0005622062.tif 000010
【図１０】
0005622062.tif 000011
【図１１】
0005622062.tif 000012
【図１２】
0005622062.tif 000013
【図１３】
0005622062.tif 000014
【図１４】
0005622062.tif 000015
【図１５】
0005622062.tif 000016
【図１６】
0005622062.tif 000017
【図１７】
0005622062.tif 000018
【図１８】
0005622062.tif 000019
【図１９】
0005622062.tif 000020
【図２０】
0005622062.tif 000021
【図２１】
0005622062.tif 000022
【図２２】
0005622062.tif 000023
【図２３】
0005622062.tif 000024
【図２４】
0005622062.tif 000025
【図２５】
0005622062.tif 000026
【図２６】
0005622062.tif 000027
【図２７】
0005622062.tif 000028
【図２８】
0005622062.tif 000029
【図２９】
0005622062.tif 000030
【図３０】
0005622062.tif 000031
【図３１】
0005622062.tif 000032
【図３２】
0005622062.tif 000033
【図３３】
0005622062.tif 000034
【図３４】
0005622062.tif 000035
【図３５】
0005622062.tif 000036
【図３６】
0005622062.tif 000037
【図３７】
0005622062.tif 000038
【図３８】
0005622062.tif 000039
【図３９】
0005622062.tif 000040
【図４０】
0005622062.tif 000041
【図４１】
0005622062.tif 000042
【図４２】
0005622062.tif 000043
【図４３】
0005622062.tif 000044
【図４４】
0005622062.tif 000045
【図４５】
0005622062.tif 000046